(57)【要約】      （修正有）【課題】無線通信ネットワークのネットワークノードにおいて、参照信号リソースを設定するための方法および装置を提供する。【解決手段】方法は、参照信号リソースに使用される１つまたは複数のコンポーネントであって、スロットの１つまたは複数の物理リソースブロックに含有される、１つまたは複数のコンポーネントの組合せを取得すること（Ｓ２２０５）と、参照信号リソースに使用される１つまたは複数の物理リソースブロックにおける１つまたは複数のコンポーネントの組合せを１つまたは複数の無線デバイスに指示すること（Ｓ２２１０）と、を含む。【選択図】図２２
2020099047.tif 000002
【特許請求の範囲】
【請求項１】
無線通信ネットワーク（１００）のネットワークノード（１１０）において、前記無線通信ネットワーク（１００）において参照信号リソースを設定する方法（４００）であって、
参照信号リソースに使用される１つまたは複数のコンポーネントであって、スロットの１つまたは複数の物理リソースブロックに含有される、１つまたは複数のコンポーネントの組合せを取得すること（Ｓ２２０５）と、
前記参照信号リソースに使用される前記１つまたは複数の物理リソースブロックにおける前記１つまたは複数のコンポーネントの組合せを１つまたは複数の無線デバイス（１０５）に指示すること（Ｓ２２１０）と、を含む、方法。
【請求項２】
参照信号リソースに使用される１つまたは複数のコンポーネントの前記組合せを取得すること（Ｓ２２０５）は、前記参照信号リソースを形成するために２つ以上の物理リソースブロックにわたって前記１つまたは複数のコンポーネントをアグリゲートすることを含む、請求項１に記載の方法。
【請求項３】
参照信号リソースに使用される１つまたは複数のコンポーネントの前記組合せを取得すること（Ｓ２２０５）は、前記スロットの前記１つまたは複数の物理リソースブロックの物理リソースブロックごとに１ポート当たり１つのリソースエレメント（ＲＥ）があるように、前記１つまたは複数のコンポーネントをアグリゲートすることを含む、請求項１または２に記載の方法。
【請求項４】
前記物理リソースブロックは複数のサブキャリアにわたり、前記１つまたは複数のコンポーネントの組合せを指示することは１つまたは複数のサブキャリアインデックスを指示することを含む、請求項１または２に記載の方法。
【請求項５】
前記１つまたは複数のサブキャリアインデックスは、１つまたは複数のビットマップを使用して前記１つまたは複数の無線デバイスに指示される、請求項４に記載の方法。
【請求項６】
前記１つまたは複数のビットマップのそれぞれにおけるビット数は、コンポーネントにおけるサブキャリア数に依存する、請求項５に記載の方法。
【請求項７】
前記ビットマップにおけるそれぞれのビットは、前記ビットマップにおけるセットビットが、前記セットビットに対応するサブキャリアインデックスに位置するコンポーネントが前記参照信号リソースに使用される１つまたは複数のコンポーネントの前記組合せの一部であることを指示するように、サブキャリアインデックスに一意に対応する、請求項５に記載の方法。
【請求項８】
前記１つまたは複数のビットマップのそれぞれにおける前記ビット数は、前記物理リソースブロックにおける前記サブキャリア数の半分である、請求項７に記載の方法。
【請求項９】
前記参照信号リソースはＣＳＩ−ＲＳリソースである、請求項１から８のいずれか一項に記載の方法。
【請求項１０】
前記コンポーネントのそれぞれは２つ以上のサブキャリアに対応し、それぞれのコンポーネントの前記２つ以上のサブキャリアは周波数で隣接している、請求項１から９のいずれか一項に記載の方法。
【請求項１１】
それぞれのコンポーネントは２つ以上の隣接シンボルに対応している、請求項１０に記載の方法。
【請求項１２】
前記ＣＳＩ−ＲＳリソースは、ＣＳＩ測定を行うために前記１つまたは複数の無線デバイス（１０５）によって使用される、請求項９に記載の方法。
【請求項１３】
前記参照信号リソースを使用して、前記１つまたは複数の無線デバイス（１０５）に対するリンク適応、および前記１つまたは複数の無線デバイス（１０５）に対するビーム管理のうちの少なくとも１つを行う、請求項１から１２のいずれか一項に記載の方法。
【請求項１４】
前記ビーム管理はビーム選択を含む、請求項１３に記載の方法。
【請求項１５】
前記ビーム選択は、ネットワークノード（１１０）によって送信される送信ビーム、および／または無線デバイス（１０５）によって受信される受信ビームの選択を含む、請求項１４に記載の方法。
【請求項１６】
無線通信ネットワーク（１００）の無線デバイス（１０５）において、前記無線通信ネットワーク（１００）において参照信号リソースの指示を取得する方法（４００）であって、
スロットの１つまたは複数の物理リソースブロックに含有される１つまたは複数のコンポーネントの組合せの指示をネットワークノード（１１０）から受信すること（Ｓ２４０５）と、
参照信号リソースに対して１つまたは複数のコンポーネントの前記指示された組合せを使用すること（Ｓ２４１０）と、を含む、方法。
【請求項１７】
前記指示された組合せは、前記スロットの前記１つまたは複数の物理リソースブロックの物理リソースブロックごとに、１ポート当たり１つのリソースエレメント（ＲＥ）から成る、請求項１６に記載の方法。
【請求項１８】
前記物理リソースブロックは複数のサブキャリアにわたり、前記１つまたは複数のコンポーネントの前記組合せの前記指示は、１つまたは複数のサブキャリアインデックスの指示を含む、請求項１６に記載の方法。
【請求項１９】
前記１つまたは複数のサブキャリアインデックスの前記指示は、１つまたは複数のビットマップを含む、請求項１８に記載の方法。
【請求項２０】
前記１つまたは複数のビットマップのそれぞれにおけるビット数は、コンポーネントにおけるサブキャリア数に依存する、請求項１９に記載の方法。
【請求項２１】
前記ビットマップにおけるそれぞれのビットは、前記ビットマップにおけるセットビットが、前記セットビットに対応するサブキャリアインデックスに位置するコンポーネントが前記参照信号リソースに使用される１つまたは複数のコンポーネントの前記組合せの一部であることを指示するように、サブキャリアインデックスに一意に対応する、請求項１９に記載の方法。
【請求項２２】
前記１つまたは複数のビットマップのそれぞれにおける前記ビット数は、前記物理リソースブロックにおけるサブキャリア数の半分である、請求項２１に記載の方法。
【請求項２４】
前記コンポーネントのそれぞれは２つ以上のサブキャリアに対応する、請求項１６から２３のいずれか一項に記載の方法。
【請求項２５】
それぞれのコンポーネントの前記２つ以上のサブキャリアは周波数で隣接している、請求項２４に記載の方法。
【請求項２６】
それぞれのコンポーネントは２つ以上の隣接シンボルに対応している、請求項２４に記載の方法。
【請求項２７】
前記参照信号リソースはＣＳＩ−ＲＳリソースである、請求項１６から２６のいずれか一項に記載の方法。
【請求項２８】
前記ＣＳＩ−ＲＳリソースは、ＣＳＩ測定を行うために前記無線デバイス（１０５）によって使用される、請求項２７に記載の方法。
【請求項２９】
前記参照信号リソースを使用して、前記無線デバイス（１０５）に対するリンク適応、および前記無線デバイス（１０５）に対するビーム管理のうちの少なくとも１つを行う、請求項１６から２８のいずれか一項に記載の方法。
【請求項３０】
前記ビーム管理はビーム選択を含む、請求項２９に記載の方法。
【請求項３１】
前記ビーム選択は、ネットワークノード（１１０）によって送信される送信ビーム、および／または前記無線デバイス（１０５）によって受信される受信ビームの選択を含む、請求項３０に記載の方法。
【請求項３２】
無線通信ネットワーク（１００）において参照信号リソースの指示を取得することによって前記無線通信ネットワーク（１００）における通信を容易にするための無線デバイス（１０５、２００）であって、
請求項１６から３１のいずれか一項に記載のステップを行うように設定される処理回路構成を含む、無線デバイス。
【請求項３３】
前記無線通信ネットワーク（１００）において参照信号リソースを設定するためのネットワークノード（１１０、３００）であって、
請求項１から１５のいずれか一項に記載のステップを行うように設定される処理回路構成を含む、ネットワークノード。
【請求項３４】
無線通信ネットワーク（１００）において参照信号リソースの指示を取得することによって前記無線通信ネットワーク（１００）における通信を容易にするためのユーザ機器（ＵＥ）（２００）であって、
無線信号を送るおよび受信するように設定されるアンテナ（２２０）と、
前記アンテナおよび処理回路構成（２０５）に接続され、かつ前記アンテナと前記処理回路構成との間で通信される信号を調整するように設定されるトランシーバ（２１５）と、
請求項１６から３１のいずれか一項に記載のステップを行うように設定される前記処理回路構成と、を含む、ユーザ機器（ＵＥ）。
【請求項３５】
ホストコンピュータ（２８１０）を含む通信システム（２８００）であって、
ユーザデータを提供するように設定される処理回路構成（２８１８）と、
無線デバイス（２８３０）への送信のために前記ユーザデータをセルラーネットワークに転送するように設定される通信インターフェース（２８１６）と、を含み、
前記セルラーネットワークは、
前記ユーザデータを受信する設定される通信インターフェース（２８２６）、
前記ユーザデータを前記無線デバイス（２８３０）に転送するために無線デバイス２８３０とインターフェースするように設定される無線インターフェース（２８２７）、および
請求項１から１５のいずれか一項に記載のステップを行うように設定される処理回路構成（２８２８）を有するネットワークノード（２８２０）を含む、通信システム。
【請求項３６】
請求項３３に記載のネットワークノードをさらに含む、請求項３６に記載の通信システム。
【請求項３７】
請求項３２に記載の無線デバイスをさらに含み、前記無線デバイスは前記ネットワークノードと通信するように設定される、請求項３５または３６に記載の通信システム。
【発明の詳細な説明】
【技術分野】
【０００１】
開示された主題は、一般的に、電気通信に関し、より詳細には、次世代移動無線通信システムのチャネルにおけるチャネル状態情報参照信号（ＣＳＩ−ＲＳ）密度の制御に関する。
【背景技術】
【０００２】
次世代移動無線通信システム（５ＧまたはＮＲ）は、使用ケースの多様なセット、および展開シナリオの多様なセットをサポートするものになる。この展開シナリオの多様なセットは、現在のＬＴＥと同様の低い周波数（数百ＭＨｚ）、および非常に高い周波数（数十ＧＨｚのｍｍ波）両方における展開を含む。高周波数では、伝搬特性は良好なカバレッジの達成を困難にしている。カバレッジ問題に対する１つの解決策は、満足のいくリンクバジェットを達成するために、典型的にはアナログ式の高利得ビーム形成を利用することである。ビーム形成はまた、低周波数において使用されることになり（典型的には、デジタルビーム形成）、既に標準化済みの３ＧＰＰ  ＬＴＥシステム（４Ｇ）と実際は同様であることが予想される。
【０００３】
背景目的で、ＬＴＥの重要な態様の一部がこのセクションにおいて説明される。この中で、特に関連のあるものは、チャネル状態情報参照信号（ＣＳＩ−ＲＳ）について説明しているサブセクションである。同様の信号は、ＮＲに対しても設計されることになり、本願の主題である。
【０００４】
ここで使用される、ｅＮｏｄｅＢおよびＵＥなどの専門用語は、非限定的とみなすものとし、とりわけ、この２つの間にある特定の階層関係を暗示するものではなく、一般に、「ｅＮｏｄｅＢ」はデバイス１、「ＵＥ」はデバイス２とみなされ得、これら２つのデバイスは何らかの無線チャネル上で互いに通信することに留意されたい。本明細書では、また、ダウンリンクにおける無線通信に重点を置いているが、本発明はアップリンクにおいて等しく適用可能である。
【０００５】
ＬＴＥおよびＮＲは、ダウンリンクではＯＦＤＭ、アップリンクではＤＦＴ拡散ＯＦＤＭまたはＯＦＤＭを使用する。基本的なＬＴＥまたはＮＲダウンリンク物理リソースはよって、図６に示されるように、時間周波数グリッドとして見ることができ、この場合、それぞれのリソースエレメントは、１つのＯＦＤＭシンボル間隔中の１つのＯＦＤＭサブキャリアに対応する。
【０００６】
さらに、図７に示されるように、時間領域では、ＬＴＥダウンリンク送信は１０ミリ秒の無線フレームに組織化され、それぞれの無線フレームは、長さＴｓｕｂｆｒａｍｅ＝１ミリ秒の１０の等しいサイズのサブフレームから成る。
【０００７】
さらに、ＬＴＥにおけるリソース割り当ては、典型的には、リソースブロックに関して説明され、この場合、リソースブロックは時間領域では１つのスロット（０．５ミリ秒）、周波数領域では１２の連続的なサブキャリアに対応する。リソースブロックは、周波数領域において、システム帯域幅の片端から０で始まる番号が付けられる。ＮＲについて、リソースブロックはまた周波数において１２のサブキャリアであるが、ＮＲリソースブロックにおけるＯＦＤＭシンボルの数は依然判断されていない。本明細書で使用される「リソースブロック」という用語がそのように、ある特定の数のサブキャリアおよびある特定の数のＯＦＤＭシンボルにわたるリソースのブロックに言及することになり、この用語は本明細書で使用される際、いくつかのインスタンスでは、ＮＲに対する標準またはある他のシステムに対する標準における「リソースブロック」は何によって最終的にラベル表示されるかによるリソースの異なるサイズのブロックに言及することは、諒解されるであろう。
【０００８】
ダウンリンク送信は、動的にスケジューリングされ、すなわち、それぞれのサブフレームにおいて、基地局は、現在のダウンリンクサブフレームにおいて、どの端末データが送信され、かつどのリソースブロック上でデータが送信されるかについての制御情報を送信する。制御シグナリングは典型的には、ＬＴＥではそれぞれのサブフレームにおける最初の１、２、３、または４のＯＦＤＭシンボルにおいて、ＮＲでは１または２のＯＦＤＭシンボルにおいて送信される。制御としての３のＯＦＤＭシンボルによるダウンリンクシステムは、図８に示されるダウンリンクサブフレームに示されている。
【０００９】
コードブックベースプリコーディング
マルチアンテナ技法は、無線通信システムのデータ速度および信頼性を大幅に高める可能性がある。この性能は特に、送信機および受信機両方が複数のアンテナを装備する場合に改善され、これによって、マルチ入力マルチ出力（ＭＩＭＯ）通信チャネルがもたらされる。このようなシステムおよび／または関連技法は、一般的にＭＩＭＯという。
【００１０】
ＮＲは現在、ＭＩＭＯサポートによって発展している。ＮＲにおける中核のコンポーネントは、ＭＩＭＯアンテナの展開、およびより高いキャリア周波数でのビーム形成を含むＭＩＭＯ関連技法のサポートである。現在、ＬＴＥおよびＮＲは、チャネル依存プリコーディングによる最大３２のＴｘアンテナに対する８層空間多重化モードをサポートしている。空間多重化モードは、好適なチャネル条件における高データ速度を目的としている。図９において、空間多重化動作が図示されている。
【００１１】
見られるように、シンボルベクトルｓを伝達する情報は、ＮＴ×ｒプリコーダ行列Ｗによって乗算され、これは、（ＮＴアンテナポートに対応する）ＮＴ−次元ベクトル空間の部分空間における送信エネルギーを分散するのに役立つ。プリコーダ行列は典型的には、可能なプリコーダ行列のコードブックから選択され、典型的には、一定数のシンボルストリームに対してコードブックにおいて一意のプリコーダ行列を指定するプリコーダ行列インジケータ（ＰＭＩ）によって指示される。ｓにおけるｒのシンボルはそれぞれ、ある層に対応し、ｒは送信ランクと称される。このように、空間多重化は達成されるが、これは、複数のシンボルが同じ時間／周波数リソースエレメント（ＴＦＲＥ）上で同時に送信可能であるからである。シンボル数ｒは典型的には、現在のチャネル性質に合うように適応される。
【００１２】
ＬＴＥおよびＮＲは、ダウンリンクにおいてＯＦＤＭを使用するため、サブキャリアｎ（または代替的には、データＴＦＲＥ番号ｎ）上のある特定のＴＦＲＥに対する受信されたＮＲ×１ベクトルｙｎはよって、
ｙｎ＝ＨｎＷｓｎ＋ｅｎ
によってモデル化され、式中、ｅｎは、ランダムプロセスの実現として取得される雑音／干渉ベクトルである。プリコーダ行列Ｗによって実装されるプリコーダは、周波数上で一定である、または周波数選択である広帯域プリコーダとすることができる。
【００１３】
プリコーダ行列は多くは、ＮＲ×ＮＴのＭＩＭＯチャネル行列Ｈｎの特性に整合するように選定されることで、いわゆるチャネル依存プリコーディングが生じる。これは一般的に、閉ループプリコーディングと称され、送信されたエネルギーの多くをＵＥに伝えるという意味で強力である部分空間へ送信エネルギーを集中させることを本質的に追及するものである。さらに、プリコーダ行列は、チャネルの直交化を追及するように選択されてもよく、このことは、ＵＥにおける適正な線形等化の後に層間干渉が低減することを意味する。
【００１４】
送信ランク、ひいては空間多重化層の数は、プリコーダの列数に反映される。効率的な性能にとって、チャネル性質に整合する送信ランクが選択されることが重要である。
【００１５】
チャネル状態情報参照シンボル（ＣＳＩ−ＲＳ）
ＬＴＥおよびＮＲにおいて、参照シンボルシーケンスはチャネル状態情報（ＣＳＩ−ＲＳ）を推定する目的で導入された。ＣＳＩ−ＲＳは、その目的で以前のリリースで使用された共通参照シンボル（ＣＲＳ）に基づいてＣＳＩフィードバックを行うことによるいくつかの利点を提供する。第一に、ＣＳＩ−ＲＳは、データ信号の復調に使用されないため、同じ密度を必要としない（すなわち、ＣＳＩ−ＲＳのオーバーヘッドは実質的に少なくなる）。第二に、ＣＳＩ−ＲＳは、ＣＳＩフィードバック測定を設定するためのはるかに多くのフレキシブルな手段を提供する（例えば、ＣＳＩ−ＲＳリソースが測定の際に基づくものは、ＵＥ固有式に設定可能である）。
【００１６】
ＣＳＩ−ＲＳに対する測定によって、ＵＥは無線伝搬チャネルおよびアンテナ利得を含んで、ＣＳＩ−ＲＳが横断する効果的なチャネルを推定できる。より数学的に厳密に言えば、これは、既知のＣＳＩ−ＲＳ信号ｘが送信される場合、ＵＥが送信信号と受信信号との間の結合（すなわち、効果的なチャネル）を推定することができることを暗示する。それゆえに、送信時に仮想化が行われない場合、受信信号ｙは、
ｙ＝Ｈｘ＋ｅ
と表すことができ、ＵＥは効果的なチャネルＨを推定できる。
【００１７】
最大３２のＣＳＩ−ＲＳポートは、ＬＴＥまたはＮＲのＵＥに対して設定可能であり、すなわち、ＵＥはそのために、最大８個の送信アンテナからチャネルを推定することができる。
【００１８】
アンテナポートは、ＵＥがチャネルを測定するために使用するものとする参照信号リソースと同等である。それゆえに、２つのアンテナを有する基地局は２つのＣＳＩ−ＲＳポートを規定することが可能であり、ここで、それぞれのポートはサブフレームまたはスロット内の時間周波数グリッドにおけるリソースエレメントのセットである。基地局は、２つのアンテナのそれぞれからこれら２つの参照信号のそれぞれを送信することで、ＵＥは２つの無線チャネルを測定し、かつこれらの測定に基づいてチャネル状態情報を基地局に返信して報告する。ＬＴＥにおいて、１、２、４、８、１２、１６、２０、２４、２８、および３２のポートを有するＣＳＩ−ＲＳリソースがサポートされる。
【００１９】
ＣＳＩ−ＲＳは、２つのアンテナポートを２つの連続的なＲＥにオーバーレイするために、長さ２の直交カバーコード（ＯＣＣ）を利用する。ＬＴＥリリース９／１０のＵＥ固有ＲＳ（黄色）、（ＣＳＩ−ＲＳアンテナポートに対応する番号でマークされた）ＣＳＩ−ＲＳ、およびＣＲＳ（青色および紺青色）に対する潜在的な位置によるＲＢペア上のリソースエレメントグリッドを示す、図１０に見られるように、多くの異なるＣＳＩ−ＲＳパターンが利用可能である。２つのＣＳＩ−ＲＳアンテナポートの場合について、サブフレーム内に２０個の異なるパターンがある。対応するパターン数は、４個および８個のＣＳＩ−ＲＳアンテナポートそれぞれに対して１０個および５個である。ＴＤＤについて、いくつかの追加のＣＳＩ−ＲＳパターンが利用可能である。
【００２０】
ＣＳＩ参照信号設定は、ＬＴＥ仕様のＴＳ３６．２１１  ｖ．１２．５．０から取り入れられた以下の表によって示される。例えば、４個のアンテナポートに対するＣＳＩ  ＲＳ設定５はスロット１（サブフレームの第２のスロット）において（ｋ’、ｌ’）＝（９、５）を使用し、以下の式に従って、（ＰＲＢインデックスをｍ＝０と仮定して）それぞれ、ポート１５、１６はリソースエレメント（ｋ、ｌ）＝（９、５）（９、６）上でＯＣＣを使用し、ポート１７、１８はリソースエレメント（３、５）（３、６）上でＯＣＣを使用し、ここで、ｋはサブキャリアインデックスであり、ｌはＯＦＤＭシンボルインデックスである。
【００２１】
直交カバーコード（ＯＣＣ）は係数ｗｌＮによって以下に導入される。
2020099047.tif 000003
2020099047.tif 000004
【００２２】
２Ｄアンテナアレイ
ＬＴＥにおいて、２次元アンテナアレイに対するサポートは、それぞれのアンテナエレメントが独立した位相および振幅制御を有する場合に導入されたもので、それによって、垂直次元および水平次元両方におけるビーム形成が可能になる。このようなアンテナアレイは、水平次元に対応するアンテナ列数Ｎｈ、垂直次元に対応するアンテナ行数Ｎｖ、および種々の偏波に対応する次元数Ｎｐによって（部分的に）説明されてよい。よって、アンテナの総数はＮ＝ＮｈＮｖＮｐである。Ｎｈ＝８およびＮｖ＝４である場合のアンテナの例は図１１に示され、この左側に、交差偏波アンテナエレメントの２次元アンテナアレイ（Ｎｐ＝２）と共に、Ｎｈ＝４の水平アンテナエレメントおよびＮｖ＝８の垂直アンテナエレメントが示されており、図１１の右側に、２個の垂直ポートおよび４個の水平ポートを有する実際のポートレイアウトが示されている。これは、例えば４つの垂直アンテナエレメントによってそれぞれのポートを仮想化することによって取得され得る。それゆえに、交差偏波ポートが存在すると仮定すると、ＵＥはこの例では１６個のアンテナポートを測定することになる。
【００２３】
しかしながら、標準化の観点から、エレメントアンテナアレイの実際の数はＵＥに可視ではなく、むしろ、それぞれのポートがＣＳＩ参照信号に対応するアンテナポートに可視である。よって、ＵＥは、これらのポートのそれぞれからチャネルを測定できる。従って、水平次元におけるアンテナポート数Ｍｈ、垂直次元に対応するアンテナ行数Ｍｖ、および異なる偏波に対応する次元数Ｍｐによって説明される２Ｄポートレイアウトを導入する。よって、アンテナポートの総数はＭ＝ＭｈＭｖＭｐである。これらのポートのＮ個のアンテナエレメントへのマッピングは、ｅＮＢの実装の問題であるため、ＵＥによって可視ではない。ＵＥはＮの値も知らず、ポート数Ｍの値のみを知る。
【００２４】
プリコーディングは、送信の前にそれぞれのアンテナポートについて異なるビーム形成の重みを有する信号を乗算するものとして解釈されてもよい。典型的なアプローチは、プリコーダをアンテナ形成ファクタに適応させる（すなわち、プリコーダコードブックを設計する時にＭｈ、Ｍｖ、およびＭｐを考慮に入れる）ことである。
【００２５】
２Ｄアンテナアレイに対して適応されたプリコーダコードブックを設計する時の一般的なアプローチは、クロネッカー積によって、アンテナポートの水平アレイおよび垂直アレイそれぞれに適応させたプリコーダを組み合わせることである。これは、プリコーダ（の少なくともその一部）が以下の関数として説明可能であることを意味する。
2020099047.tif 000005
式中、ＷＨはＮＨ個のコードワードを含有する（ｓｕｂ）−ｃｏｄｅｂｏｏｋ  ＸＨから得られた水平プリコーダであり、同様に、ＷＶは、ＮＶ個のコードワードを含有する（ｓｕｂ）−ｃｏｄｅｂｏｏｋ  ＸＶから得られた垂直プリコーダである。
2020099047.tif 000006
で示されるジョイントコードブックは、よって、ＮＨ・ＮＶのコードワードを含有する。ＸＨのコードワードは、ｋ＝０、…、ＮＨ−１でインデックス付けられ、ＸＶのコードワードはｌ＝０、…、ＮＶ−１でインデックス付けられ、ジョイントコードブック
2020099047.tif 000007
のコードワードは、ｍ＝０、…、ＮＨ・ＮＶ−１を意味する、ｍ＝ＮＶ・ｋ＋ｌでインデックス付けられる。
【００２６】
ＬＴＥリリース１２  ＵＥおよびこれより以前のものについて、２、４、または８個のアンテナポートを有する１Ｄポートレイアウトに対するコードブックフィードバックのみがサポートされる。従って、コードブックはこれらポートが直線上に配置されることを仮定して設計される。
【００２７】
２Ｄアンテナポートのサブセットについての定期的なＣＳＩ報告
不定期なＣＳＩ報告に対する測定より、定期的なＣＳＩ報告に対するより少ないＣＳＩ−ＲＳポートでの測定を使用する方法が提案されている。
【００２８】
１つのシナリオでは、定期的なＣＳＩ報告フレームワークはレガシー端末の定期的なＣＳＩ報告フレームワークと同一である。それゆえに、２、４、または８個のＣＳＩ−ＲＳポートによる定期的なＣＳＩ報告は、Ｐ−ＣＳＩ報告に使用され、追加のポートはＡ−ＣＳＩ報告に使用される。ＵＥおよびｅＮＢの観点から、定期的なＣＳＩ報告に関する動作はレガシーな動作と同一である。
【００２９】
最大６４個のポートまたはそれ以上の完全で大きな２ＤポートレイアウトのＣＳＩ測定は、不定期な報告にのみ存在する。Ａ−ＣＳＩはＰＵＳＣＨ上で伝達されるため、ペイロードは、ＰＵＣＣＨフォーマット２を使用するＰ−ＣＳＩの小さい１１ビット制限よりはるかに大きい可能性がある。
【００３０】
２Ｄアンテナアレイに対するＣＳＩ−ＲＳリソース割り当て
１２または１６ポートについて、クラスＡのＣＳＩ報告用のＣＳＩ−ＲＳリソースは、それぞれＮ個のポートを有するＫのＣＳＩ−ＲＳ設定のアグリゲーションとして構成されることに同意されてきた。ＣＤＭ−２の場合、ＫのＣＳＩ−ＲＳリソース設定は、ＴＳ３６．２１１におけるレガシーなリソース設定によるＣＳＩ−ＲＳ  ＲＥの位置を指示する。１６ポートでは、（Ｎ、Ｋ）＝（８、２）、（２、８）である。１２ポート構成では、（Ｎ、Ｋ）＝（４、３）、（２、６）である。
【００３１】
アグリゲートされたリソースのポートは、下記に従ってコンポーネントリソースのポートに対応する。
・アグリゲートされたポート番号は１５、１６、…、３０（１６個のＣＳＩ−ＲＳポートについて）
・アグリゲートされたポート番号は１５、１６、…、２６（１２個のＣＳＩ−ＲＳポートについて）
【００３２】
ＣＳＩ−ＲＳアンテナポート番号付け
所与のＰ個のアンテナポートに対して、リリース１０、１２、および１３のプリコーディングコードブックは、最初のＰ／２個のアンテナポート（例えば、１５〜２２）が共偏波アンテナのセットにマッピングされるものとし、最後のＰ／２個のアンテナポート（例えば、１６〜３０）は、最初のセットに対する直交偏波を有する共偏波アンテナの別のセットにマッピングされるものとするように、設計される。よって、これは交差偏波アンテナアレイを対象にしている。図１２は、Ｐ＝８のポートの場合のアンテナポート番号付けを示す。
【００３３】
それゆえに、ランク１の場合のコードブックの原理は、ＤＦＴ「ビーム」ベクトルがＰ／２個のポートのそれぞれのセットに対して選定され、ＱＰＳＫアルファベットを有する位相シフトは２セットのアンテナポートを共位相にするために使用される。よって、ランク１のコードブックは以下のように構成される。
2020099047.tif 000008
式中、ａは第１および第２それぞれの偏波のビームを形成する長さＰ／２のベクトルであり、ωは２つの直交偏波を共位相にする共位相スカラである。
【００３４】
ＮＲにおけるＣＳＩ−ＲＳ信号の使用
ＮＲにおいて、ＣＳＩ−ＲＳ信号は、ＬＴＥにおけるのと少なくとも同様の目的で設計かつ使用される必要がある。しかしながら、ＮＲのＣＳＩ−ＲＳは、ビーム管理などのさらなる目的を果たすことが予想される。ビーム管理は、ｅＮＢおよびＵＥビームがトラッキングされるプロセスであり、これには、ＵＥが、マルチビーム送受信ポイント（ＴＲＰ）のカバレッジエリア内およびこれらの間両方で移動する際に適したビーム間を見つけること、維持すること、および切り換えることが含まれる。これは、ＵＥが、ＣＳＩ−ＲＳ参照信号に対する測定を行い、かつこれらの測定値を、ビーム管理決定の目的でネットワークにフィードバックすることによって、成し遂げられる。
【００３５】
よって、問題になるのは、デジタルおよびアナログ両方のビーム形成による、「ＬＴＥタイプ」の機能性のみならず、ビーム管理機能性に使用可能であるＣＳＩ−ＲＳをどのように設計するかである。
【００３６】
ＮＲとＬＴＥとの間のさらなる相違点は、ＮＲが、フレキシブルな数秘学、すなわち、１５ｋＨＺの公称値によるスケーラブルなサブキャリア間隔（ＳＣＳ）をサポートすることになることである。公称値は、２の累乗においてスケーラブルであり、すなわち、ｆＳＣ＝１５＊２ｎｋＨＺであり、この場合、ｎ＝−２、−１、０、１、２、３、４、５である。これは、より大きいサブキャリア間隔は、リソースエレメント（ＲＥ）が周波数次元においてより広がることになり得、これによって、ＣＳＩ−ＲＳ間の周波数の距離が大きくなることを意味するため、ＣＳＩ−ＲＳ構造に影響する。よって、ＳＣＳに依存する周波数密度を調節できるようにＣＳＩ−ＲＳをどのように設計するかが問題である。
【００３７】
もう１つの可能な相違点は、ＮＲがＬＴＥより短い送信持続時間をサポートする場合があることである。ＮＲ送信持続時間は、スロットが７または１４どちらかのＯＦＤＭシンボルの長さとすることができるスロットである。対照的に、ＬＴＥにおける送信持続時間は、１４のシンボルに等しい１つのサブフレームにおいて固定される。
【００３８】
さらに、ＮＲに共通参照信号（ＣＲＳ）がないため、ＮＲにおけるＣＳＩ−ＲＳの配置はＮＲとの衝突を回避するように制限されない。よって、より大幅な柔軟性がＮＲに対するＣＳＩ−ＲＳの設計において使用されてよい。
【発明の概要】
【００３９】
本明細書に説明される技法および装置のいくつかは、上記の問題に取り組み、かつＮＲに対するＣＳＩ−ＲＳの設計および使用におけるより大幅な柔軟性を提供する。
【００４０】
開示された本発明の実施形態は、参照信号リソースに使用される１つまたは複数のユニットもしくはコンポーネントの組合せが取得されるステップを含む方法を含む。この組合せは、例えば、参照信号リソースの所望の密度特性、参照信号リソースが使用されることになる１つまたは複数の無線デバイスについて設定されるポート数を含む、１つまたは複数の基準および／または所定の規則に基づいて取得されてよい。この取得することは、例えば、参照信号リソースを形成するために２つ以上の物理リソースブロックにわたって１つまたは複数のコンポーネントをアグリゲートすることを含んでよい。このアグリゲートすることは、参照信号を伝達するために使用されるＰＲＢの中のＰＲＢごとに、１ポート当たり１つまたはいくつかのＲＥがあるように行われてよい。この例示の方法は、参照信号リソースに使用される１つまたは複数の物理リソースブロックにおける１つまたは複数のコンポーネントの組合せが１つまたは複数の無線デバイスに対して指示されるステップをさらに含む。
【００４１】
上で要約される方法のいくつかの実施形態では、それぞれの物理リソースブロックは複数のサブキャリアにわたり、１つまたは複数のコンポーネントの組合せを指示することは１つまたは複数のサブキャリアインデックスを指示することを含む。いくつかの実施形態では、１つまたは複数のサブキャリアインデックスは、１つまたは複数のビットマップを使用して１つまたは複数の無線デバイスに指示される。これらの実施形態のいくつかにおいて、ビットマップにおけるそれぞれのビットは、ビットマップにおけるセットビットが、セットビットに対応するサブキャリアインデックスに位置するコンポーネントが参照信号リソースに使用される１つまたは複数のコンポーネントの組合せの一部であることを指示するように、サブキャリアインデックスに一意に対応する。いくつかの実施形態では、１つまたは複数のビットマップのそれぞれにおけるビット数は、コンポーネントにおけるサブキャリア数に依存する。いくつかの実施形態では、１つまたは複数のビットマップのそれぞれにおけるビット数は、例えば、ＰＲＢにおけるサブキャリア数の半分であってよい。
【００４２】
いくつかの実施形態では、コンポーネントのそれぞれは２つ以上のサブキャリアに対応し、それぞれのコンポーネントの２つ以上のサブキャリアは周波数で隣接している。これらの実施形態のいくつかでは、それぞれのコンポーネントはまた、２つ以上の隣接シンボルに対応してよい。
【００４３】
上記の方法における参照信号リソースは、いくつかの実施形態では、ＣＳＩ−ＲＳリソースであってよい。このＣＳＩ−ＲＳリソースは、例えば、ＣＳＩ測定を行うために１つまたは複数の無線デバイスによって使用されてよい。いくつかの実施形態では、参照信号リソースを使用して、１つまたは複数の無線デバイスに対するリンク適応、および１つまたは複数の無線デバイスに対するビーム管理のうちの少なくとも１つを行う。このビーム管理は、ネットワークノードによって送信される送信ビーム、および／または無線デバイスによって受信される受信ビームの選択といったビーム選択を含んでよい。
【００４４】
他の実施形態は、無線デバイスを動作させる方法を含む。例示の方法は、スロットの１つまたは複数の物理リソースブロックに含有される１つまたは複数のコンポーネントの組合せの指示がネットワークノードから受信されるステップを含む。この例示の方法は、１つまたは複数のコンポーネントの指示された組合せが参照信号リソースに使用されるステップをさらに含む。
【００４５】
いくつかの実施形態では、指示された組合せは、スロットの１つまたは複数の物理リソースブロックの物理リソースブロックごとに、１ポート当たり１つのＲＥから成る。いくつかの実施形態では、それぞれの物理リソースブロックは、複数のサブキャリアにわたり、１つまたは複数のコンポーネントの組合せの指示は、１つまたは複数のサブキャリアインデックスの指示を含む。これらの後者の実施形態のいくつかにおいて、１つまたは複数のサブキャリアインデックスの指示は、１つまたは複数のビットマップを含んでよい。１つまたは複数のビットマップのそれぞれにおけるビット数は、コンポーネントにおけるサブキャリア数に依存してよい。いくつかの実施形態では、ビットマップにおけるそれぞれのビットは、ビットマップにおけるセットビットが、セットビットに対応するサブキャリアインデックスに位置するコンポーネントが参照信号リソースに使用される１つまたは複数のコンポーネントの組合せの一部であることを指示するように、サブキャリアインデックスに一意に対応する。これらの実施形態のいくつかでは、１つまたは複数のビットマップのそれぞれにおけるビット数は、物理リソースブロックにおけるサブキャリア数の半分である。
【００４６】
いくつかの実施形態では、コンポーネントのそれぞれは、２つ以上のサブキャリアに対応し、それぞれのコンポーネントの２つ以上のサブキャリアは周波数で隣接している。これらの実施形態のいくつかでは、それぞれのコンポーネントはまた、２つ以上の隣接シンボルに対応してよい。
【００４７】
上記方法における参照信号リソースは、いくつかの実施形態では、ＣＳＩ−ＲＳリソースであってよい。このＣＳＩ−ＲＳリソースは、例えば、ＣＳＩ測定を行うために１つまたは複数の無線デバイスによって使用されてよい。いくつかの実施形態では、参照信号リソースを使用して、１つまたは複数の無線デバイスに対するリンク適応、および１つまたは複数の無線デバイスに対するビーム管理のうちの少なくとも１つを行う。このビーム管理は、ネットワークノードによって送信される送信ビーム、および／または無線デバイスによって受信される受信ビームの選択といったビーム選択を含んでよい。
【００４８】
本発明の他の実施形態は、上で要約された方法に対応し、かつこれらの方法またはこれらの変形のうちの１つまたは複数を遂行するように設定される装置を含む。よって、実施形態は、無線通信ネットワークにおいて使用するためのネットワークノードを含み、このネットワークノードは、参照信号リソースに使用される１つまたは複数のコンポーネントであって、スロットの１つまたは複数の物理リソースブロックに含有される、１つまたは複数のコンポーネントの組合せを取得するように、かつ、参照信号リソースに使用される１つまたは複数の物理リソースブロックにおける１つまたは複数のコンポーネントの組合せを１つまたは複数の無線デバイスに指示するように適応される。同様に、他の実施形態は、ネットワークノードから、スロットの１つまたは複数の物理リソースブロックに含有される１つまたは複数のコンポーネントの組合せの指示を受信するように、かつ参照信号リソースに対する１つまたは複数のコンポーネントの指示された組合せを使用するように適応される無線デバイスを含む。上で要約され、かつ以下にさらに詳細に説明されるこれらの技法の変形は、本明細書に開示される方法および装置の実施形態に等しく適用可能である。
【００４９】
図面には、開示された主題の選択された実施形態が示されている。図面において、同様の参照標示は同様の特徴を示す。
【図面の簡単な説明】
【００５０】
【図１】ＬＴＥネットワークを示す図である。
【図２】無線通信デバイスを示す図である。
【図３】無線アクセスノードを示す図である。
【図４】ネットワークノードを動作させる方法を示すフローチャートである。
【図５】ネットワークノードを示す図である。
【図６】例示の直交周波数分割多重（ＯＦＤＭ）ダウンリンク物理リソースの概略図である。
【図７】例示のＯＦＤＭ時間領域構造の概略図である。
【図８】例示のＯＦＤＭダウンリンクサブフレームの概略図である。
【図９】空間多重化動作の機能ブロック図である。
【図１０】ＲＢペア上の例示のリソースエレメントグリッドの図式である。
【図１１】例示のアンテナアレイおよびこの対応するポートレイアウトの図式である。
【図１２】アンテナポートに対する例示の番号付け方式の図式である。
【図１３】無線通信ネットワークの無線アクセスノードと無線通信デバイスとの間の例示のシグナリング図である。
【図１４】無線通信ネットワークの無線アクセスノードと無線通信デバイスとの間の別の例示のシグナリング図である。
【図１５】１つのＰＲＢにおける６個のＣＳＩ−ＲＳユニットを有するＯＦＤＭシンボルの図式である。
【図１６】２つの異なるＮＲスロットサイズ、およびこれにおけるＣＳＩ−ＲＳユニットの例示の位置の図式である。
【図１７】ＣＳＩ−ＲＳユニットがアグリケートされてよいさまざまなリソース割り当て設定の図式である。
【図１８】図１７のリソース割り当て設定に対応するさまざまな例示のポート番号マッピングの図式である。
【図１９】アグリゲートされたＣＳＩ−ＲＳリソースのサブサンプリングから生じる２つの可能なコムパターンまたは構造の図式である。
【図２０】アグリゲートされたＣＳＩ−ＲＳリソースのサブサンプリングから生じる別の可能なコムパターンまたは構造の図式である。
【図２１】２つのビットマップを使用してＣＳＩ−ＲＳ組合せを指示する時の、２つの異なるＮＲスロットサイズ、およびこれのおけるＣＳＩ−ＲＳユニットの例示の位置の図式である。
【図２２】ネットワークノードを動作させる方法を示すフローチャートである。
【図２３】仮想ネットワークノード装置の図式である。
【図２４】無線デバイスを動作させる方法を示すフローチャートである。
【図２５】仮想無線デバイス装置の図式である。
【図２６】本発明の実施形態が動作可能である例示の仮想化環境の図式である。
【図２７】いくつかの実施形態に従って、中間ネットワークを介してホストコンピュータに接続される電気通信ネットワークの図式である。
【図２８】いくつかの実施形態に従って、一部の無線接続にわたって基地局を介してユーザ機器と通信するホストコンピュータの図式である。
【図２９】いくつかの実施形態に従って、ホストコンピュータ、基地局、およびユーザ機器を含む通信システムにおいて実装される方法を示すフローチャートである。
【図３０】いくつかの実施形態に従って、ホストコンピュータ、基地局、およびユーザ機器を含む通信システムにおいて実装される別の方法を示すフローチャートである。
【発明を実施するための形態】
【００５１】
以下の説明は、開示される主題のさまざまな実施形態を提示している。これらの実施形態は、教示する例として提示され、開示される主題の範囲を限定すると解釈されるものではない。例えば、説明される実施形態のある特定の詳細は、説明される主題の範囲から逸脱することなく、修正、省略、または拡げられてよい。
【００５２】
無線ノード：本明細書で使用される「無線ノード」は、無線アクセスノードまたは無線デバイスのどちらかである。
【００５３】
制御ノード：本明細書で使用される「制御ノード」は、別のノードを管理、制御、または設定するために使用される、無線アクセスノードまたは無線デバイスのどちらかである。
【００５４】
無線アクセスノード：本明細書で使用される「無線アクセスノード」は、信号を無線で送信するおよび／受信するように動作するセルラー通信ネットワークの無線アクセスネットワークにおける任意のノードである。無線アクセスノードのいくつかの例には、基地局（例えば、第３世代パートナーシッププロジェクト（３ＧＰＰ）Ｌｏｎｇ−Ｔｅｒｍ  Ｅｖｏｌｕｔｉｏｎ（ＬＴＥ）ネットワークにおける拡張またはエボルブドＮｏｄｅ  Ｂ（ｅＮＢ））、高電力またはマクロ基地局、低電力基地局（例えば、マイクロ基地局、ピコ基地局、またはホームｅＮＢなど）、および中継ノードが挙げられるがこれらに限定されない。
【００５５】
コアネットワークノード：本明細書で使用される「コアネットワークノード」はコアネットワーク（ＣＮ）における任意のタイプのノードである。コアネットワークノードのいくつかの例には、例えば、モビリティ管理エンティティ（ＭＭＥ）、エボルブドサービングモバイルロケーションセンター（Ｅ−ＳＭＬＣ）、パケットデータネットワーク（ＰＤＮ）ゲートウェイ（Ｐ−ＧＷ）、または、Ｓｅｒｖｉｃｅ  Ｃａｐａｂｉｌｉｔｙ  Ｅｘｐｏｓｕｒｅ  Ｆｕｎｃｔｉｏｎ（ＳＣＥＦ）などが挙げられる。
【００５６】
無線デバイス：本明細書で使用される「無線デバイス」は、セルラー通信ネットワークへの（またはこれによってサーブされる）アクセスするためにセルラー通信ネットワークにおいて別の無線デバイスに対してまたはネットワークノードに対して、信号を無線で送信するおよび／または受信することが可能な任意のタイプのデバイスである。無線デバイスのいくつかの例には、３ＧＰＰネットワークにおけるユーザ機器（ＵＥ）、マシン型通信（ＭＴＣ）デバイス、ＮＢ−ＩｏＴデバイス、ＦｅＭＴＣデバイスなどが挙げられるが、これらに限定されない。
【００５７】
ネットワークノード：本明細書で使用される「ネットワークノード」は、セルラー通信ネットワーク／システムまたはテスト機器ノードの無線アクセスネットワークまたはＣＮのどちらかの一部である任意のノードである。
【００５８】
シグナリング：本明細書で使用される「シグナリング」は、（例えば、無線リソース制御（ＲＲＣ）などを介した）上位層シグナリング、（例えば、物理制御チャネルまたはブロードキャストチャネルを介した）下位層シグナリング、またはこれらの組合せのいずれかを含む。シグナリングは、暗黙的または明示的であってよい。シグナリングは、さらに、ユニキャスト、マルチキャスト、またはブロードキャストであってよい。シグナリングはまた、別のノードに対して直接的であってよい、または第３のノードを介するものであってよい。
【００５９】
ＬＴＥとＮＲとの間の相違によって、時間の次元および周波数の次元両方におけるＣＳＩ−ＲＳリソース密度に関して非常にフレキシブルであるＣＳＩ−ＲＳの設計がなされる。例えば、大きなサブキャリア間隔（例えば、２４０ｋＨｚ）について、周波数選択チャネルの同様に間隔をあけたサンプルを維持するように、１５ｋＨｚの公称サブキャリア間隔に対するよりも周波数領域において大幅に高めた密度を有することが必要である。他方では、ビーム管理目的で、多くは、周波数におけるかなりの余分な密度を有することが必要である。それゆえに、ＮＲに必要とされるものは、広範な使用ケースに合うように、非常にフレキシブルで、設定可能な／制御可能な密度である。この高い柔軟性は、ＬＴＥ  ＣＳＩ−ＲＳ設計からは得られない。
【００６０】
非常にフレキシブルな／制御可能なＣＳＩ−ＲＳアンテナポート密度を有するＣＳＩ−ＲＳ設計は、ＮＲにとって望ましい。本明細書に開示される技法のいくつかによると、密度は、以下の２つの一般的なやり方の１つまたは両方において制御可能である。
１）アグリゲートされたＣＳＩ−ＲＳリソースにアサインされるポート数はネットワークによって設定可能である。リソースにアサインされるポートが少ないほど、ポート密度は高くなり、逆もまた同様である。
２）周波数領域におけるアグリゲートされたＣＳＩ−ＲＳのサブサンプリングは、ネットワークによって設定可能である。リソースのサブサンプリングが増加するほど、ポート密度は低くなり、逆もまた同様である。
【００６１】
フレキシブルな／制御可能なＣＳＩ−ＲＳポート密度によって、単一のＣＳＩ−ＲＳフレームワークを、ＮＲに必要な、広範な使用ケースおよび展開シナリオに合うように容易に適応させることが可能になる。前述の２つの一般的な制御特徴は、対象のシナリオに合うように個々にまたは一緒に使用されてよい。このような柔軟性によって、アナログビーム形成およびデジタルフロントエンド両方に対して、サブキャリア間隔全てにわたるＮＲシステム性能、および動作するキャリア周波数が改善する。
【００６２】
本明細書に開示される技法のいくつかの実施形態によると、基本的なＣＳＩ−ＲＳ「コンポーネント」または「ユニット」は、スロットにおける１つのＯＦＤＭシンボル内に含有される２つの隣接するリソースエレメント（ＲＥ）として規定されてよい。本明細書に説明される例は、ＣＳＩ−ＲＳコンポーネントのこの規定を使用するが、本発明の実施形態はこの規定に限定されない。例えば、ＣＳＩ−ＲＳコンポーネントは、より多いまたはより少ないＲＥ、例えば、１つのＯＦＤＭシンボル内に含有される４つの隣接するＲＥ、または２つの隣接するＯＦＤＭシンボル内に含有される２つの隣接するＲＥを含むように規定されてよい。より小さいコンポーネントによる本明細書に説明される実施形態は、本明細書に説明される利点を失わずにこのようなより大きいコンポーネントを収容するように適当に適応されてよい。ＣＳＩ−ＲＳコンポーネントの使用は、これらの特定のサイズが何であろうと、モジュール式アプローチを容易にし、さらにまた、ＮＲ展開のさまざまな必要性および使用ケースをサポートするために拡張可能である。基本ユニットが周波数で隣接する２つのＲＥである技術的利点は、例えば、同じシンボルにおいてでは、ＬＴＥにおいて使用される異なるアプローチと比較して、ＮＲに対して設計される新しいトラッキング参照信号といった、他の参照信号とのこれらの重複における柔軟性は良好になる。
【００６３】
ＣＳＩ−ＲＳユニットは、ＣＳＩ−ＲＳリソースを形成するためにアグリゲートされてよい。ＣＳＩ−ＲＳリソースはネットワーク（ｇＮＢ、ｅＮＢ、ＴＲＰ、…）からＵＥにシグナリングされ、ＵＥは次いで、このＣＳＩ−ＲＳリソースにおいてＣＳＩ測定を行い、ＵＥはネットワークにＣＳＩ測定報告をフィードバックする。ネットワークはさらにまた、この情報を、リンク適応および／またはビーム選択および／またはビーム管理に対して使用する。
【００６４】
図１３は、（「ネットワーク／ｇＮＢ」と示される）無線通信ネットワークの無線アクセスノードと（「端末／ＵＥ」と示される）無線通信デバイスとの間のシグナリング図を示す。ここで、ネットワークは、ＣＳＩフィードバックに対するＣＳＩ−ＲＳリソースを設定し、かつ、ＣＳＩ−ＲＳを無線通信デバイス／ＵＥに送信する。次いで、ＵＥにおいて測定が行われ、ＣＳＩ報告はフィードバックとしてネットワークに送られる。データはさらにまた、例えば、ＣＳＩ報告から判断されるプリコーダに基づいて、無線アクセスノードから無線通信デバイスに送信されてよい。
【００６５】
図１４は同様のシグナリング図を示す。しかしながら、図１４には、ビーム管理セットアップも示され、ここで、無線通信デバイスはビームを選択する。さらに具体的には、ＣＳＩ−ＲＳリソースは、Ｂ個のビームに分割されるＮ個のポートを含有するため、それぞれのビームはＮ／Ｂ個のポートを有する。無線通信デバイスは、ＣＳＩフィードバックに使用するために、Ｎ／Ｂ個のポート、すなわち、ビームの所望のサブセットを選択する。
【００６６】
図１５は、１つのＰＲＢ内に収まる６個のＣＳＩ−ＲＳユニット（１２個のサブキャリア）を有するスロットにおけるＯＦＤＭシンボルを示す。それぞれの異なる色は異なるユニットを表す。長さ６のビットマップを使用して、ユニットまたはユニットの組合せ（アグリゲーション）のそれぞれがＣＳＩ−ＲＳリソースの一部であるか否かをネットワークからＵＥに指示してよい。それぞれの個々のＣＳＩ−ＲＳユニットに対するビットマップの値は、以下の表２に示されている。
2020099047.tif 000009
【００６７】
本明細書に開示される技法の実施形態は、上述されるような長さ６のビットマップを使用することに限定されない。例えば、ＣＳＩ−ＲＳユニットが２個以上のサブキャリアおよび／または複数のシンボルにわたる場合、ビットマップの長さは低減される場合がある（例えば、４つのサブキャリアにわたるＣＳＩ−ＲＳユニットに対する長さ３のビットマップ）。よって、ビットマップにおけるビット数は、例えば、ユニットにおけるサブキャリア数に依存する、例えば、反比例する場合がある。加えて、ＣＳＩ−ＲＳユニットが１サブキャリアおき、例えば、任意のサブキャリアおきよりも微細なグリッド上に置かれる開始サブキャリアインデックス（またはアンカー位置）を有することが可能とされる場合、ビットマップの長さは６を上回る可能性がある。この場合、ビットマップ組合せ数は、ユニットが重複する可能性がないという事実を根拠として制限される必要があると思われる。
【００６８】
図１５に示されるように、ここでは、ビットインデックスは図の右手側に示されており、ビットマップにおけるそれぞれのビットはサブキャリアインデックスに一意に対応し、それによって、ビットマップにおけるセットビットが、セットビットに対応するサブキャリアインデックスに位置するコンポーネントが参照信号リソースに使用される１つまたは複数のコンポーネントの組合せの一部であることを指示するようにする。スロット内のＣＳＩ−ＲＳユニットの位置は、以下の表２に列挙される「アンカー位置」によって仕様に説明されている。この表のそれぞれの行において、アンカー位置の第１の値はサブキャリアインデックスを指示し、第２の値「ｘ」はＯＦＤＭシンボルインデックスを指示し、ここで、７シンボルのスロットの場合ｘ＝｛０、１、２、…、６｝であり、１４シンボルのスロットの場合にはｘ＝｛０、１、２、…、１３｝である。ｘ＝１０である、１４シンボルのスロットＰＲＢに対する例示の位置は図１６に示されている。本明細書に論じられる例では、サブキャリアインデックスで開始するコンポーネントはそのサブキャリアインデックスに位置すると言われる。しかしながら、コンポーネントの位置が、コンポーネントが終了するサブキャリアインデックスによって参照される他の実施形態も企図される。よって、サブキャリアインデックスに位置するコンポーネントは、サブキャリアインデックスで開始する、またはサブキャリアインデックスで終了する場合がある。
2020099047.tif 000010
【００６９】
ＣＳＩ−ＲＳリソースは、１つまたは複数のＣＳＩ−ＲＳユニットのアグリゲーションとして、さらにまた、ポートアサインがネットワークからＵＥにシグナリングされると規定される。また、ＣＳＩ−ＲＳリソースは、ＣＳＩ−ＲＳリソースが有効であるリソースブロックを含むこともできる。場合によっては、ＣＳＩ−ＲＳは、システム帯域幅全体ではなく一部の帯域幅のみにわたる。本願に示される図は、単一または２つのＲＢのみを示すが、これらのＲＢパターンはＲＢの設定されるセット全体（典型的には、システム帯域幅全体、またはＵＥがＣＳＩ測定をサポートする帯域幅）にわたってＲＢパターンが繰り返されてよいことに留意されたい。
【００７０】
次の２つのサブセクションにおいて、フレキシブルなアグリゲーション部分について説明後、フレキシブルなポートアサイン部分について説明する。これらは共に、本明細書に開示される技法および装置のいくつかの実施形態の１つの態様を含む。いくつかの実施形態の別の態様（フレキシブルなリソースサブサンプリング）については、第３のサブセクションにおいて説明する。
【００７１】
フレキシブルなリソースアグリゲーション
本発明のいくつかの実施形態におけるＣＳＩ−ＲＳリソースは、（ａ）ＯＦＤＭシンボルごとのリソースユニット、および（ｂ）ＯＦＤＭシンボルに加えて、アグリゲートされたリソースへのポートアサインのフレキシブルなアグリゲーションとして規定される。ＣＳＩ−ＲＳの規定は、場合により、このＣＳＩ−ＲＳポートが拡張する複数のＲＢのサポートされるセットを含むこともできる。
【００７２】
（ｂ）について、アグリゲートされたＯＦＤＭシンボルは、連続／隣接している、または非連続的であるのどちらかであってよい。論述を容易にするために、リソースを含むＯＦＤＭシンボルが同じスロット内に含有されると仮定する。しかしながら、いくつかの実施形態では、それらは複数のスロットにわたる場合がある。スロット内のＣＳＩ−ＲＳリソースにおける不連続的なＯＦＤＭシンボルの使用ケースは、周波数誤差推定、および（精確にするために参照信号間のある時間間隔を必要とする）ＵＥに対するトラッキングをサポートするものとすることができる。
【００７３】
図１７は、１個、２個、および４個の連続的なＯＦＤＭシンボルの場合の例示のアグリゲーションを示す。それぞれのボックスの上部のビットマップは、ＯＦＤＭシンボルごとのアグリケーションの基礎を形成するＣＳＩ−ＲＳユニットを指示する。例えば、ビットマップ１１００１１は、アグリゲーションが４つの異なるＣＳＩ−ＲＳユニット：１（それぞれのＯＦＤＭシンボルにおける上２つのサブキャリア）、２（次の２つのサブキャリア）、５（下２つのサブキャリアの真上のサブキャリアのペア）、および６（下２つのサブキャリア）から形成されることを指示する。１つのシンボルのＣＳＩ−ＲＳリソースに対するＯＦＤＭシンボル位置は、シンボルインデックスｌ０によって指定されてよい。２つの連続的なシンボルまたは４つの連続的なシンボルのＣＳＩ−ＲＳリソースについて、シンボルは常に隣接しているように制限される場合があり、この場合、シンボル位置は、２シンボルＣＳＩ−ＲＳリソースについてはシンボルインデックスｌ０およびｌ０＋１によって、または、４シンボルＣＳＩ−ＲＳリソースについてはシンボルインデックスｌ０、ｌ０＋１、ｌ０＋２、およびｌ０＋３によって指定される。ビットマップを受信する無線デバイスは、ビットマップが該当する隣接シンボルはどれくらいなのかを認識するように、ネットワークによって設定されてよい。
【００７４】
ＣＳＩ−ＲＳリソースの基礎を形成するＣＳＩ−ＲＳユニットは１、２、または４の連続的なシンボルインデックスにわたってよいが、単一のビットマップを使用して、どのサブキャリアインデックスが、２および４のシンボルアグリケーションによる図１７の例において示されるように、それぞれのシンボルインデックスにおけるＣＳＩ−ＲＳユニットの組合せの一部であることを指示することができる。単一のビットマップを使用して、複数のシンボルインデックスのそれぞれに位置する１つまたは複数のコンポーネントの組合せを指示することによって、過剰なシグナリングが低減される。
【００７５】
時間（ＯＦＤＭシンボル）および周波数（サブキャリア、すなわちユニット）両方にわたるこのようなリソースアグリゲーションでは、いくつかの実施形態では、直交カバーコード（ＯＣＣ）は、ＣＳＩ−ＲＳユニット内および／または間のＬＴＥにおけるもののように適用されてよい。ＯＣＣの使用は、ＯＣＣが時間にわたって適用される場合、ポートごとにより多くのエネルギーを収集するために有用である。これらＯＣＣが周波数にわたって適用される場合、ピーク時の潜在的な固定閾値に反することなくより大きいＣＳＩ−ＲＳ電力増大を適用して、リソースエレメントにわたる電力比を平均化することができる。
【００７６】
いくつかの実施形態において、ＣＳＩ−ＲＳリソースのＣＳＩ−ＲＳユニットは、スロットの２つの異なるシンボルインデックスアンカー位置に位置してよく、それぞれのアンカー位置におけるＣＳＩ−ＲＳユニットは、ＵＥに、異なるビットマップ、例えば、第１のアンカー位置において使用されるＣＳＩ−ＲＳユニットを指示する第１のビットマップ、および第２のアンカー位置において使用されるＣＳＩ−ＲＳユニットを指示する第２のビットマップによって指示されてよい。２つのビットマップの使用は、ＣＳＩ−ＲＳリソースの規定における柔軟性をより高めることが可能になる。例えば、２つのビットマップは、同じユーザまたは異なるユーザどちらに対しても、他の可能な参照信号または物理チャネルにきっちり合うように２つの異なるアンカー位置におけるＣＳＩ−ＲＳリソースの別個の調節を容易にする。また、それぞれのアンカー位置におけるＣＳＩ−ＲＳユニットは、アンカー位置に隣接するシンボルインデックスにおいて繰り返されてよい。換言すれば、それぞれのアンカー位置は、ＵＥに対するＣＳＩ−ＲＳユニットに使用される隣接するシンボルインデックスのペアをＵＥに指示してよい。よって、２つのビットマップは、ネットワークからＵＥに通信され、それぞれのビットマップは非隣接シンボルの異なるペアに対応する。ペアでの非隣接シンボルのアンカー位置は、シンボルインデックスｌ０およびｌ１によって指定されてよく、ここで、インデックスｌ１およびｌ０は、それぞれのアンカー位置においてシンボルのペアを収容するために２つ以上のインデックスで互いに分離される。ＣＳＩ−ＲＳシンボルのそれぞれのペアに対する例示のビットマップおよびポート番号マッピング、ならびに、インデックスｌ０およびｌ１で表される、ＣＳＩ−ＲＳシンボルのペアに対する例示の位置は、図２１に示される。
【００７７】
フレキシブルなポートアサイン
アグリゲートされたＣＳＩ−ＲＳリソースにおけるポート密度を制御するために、本明細書に開示される技法のいくつかの実施形態において、フレキシブルなポートアサイン方式が採用される。このアプローチによって、ネットワークノードは、ＣＳＩ−ＲＳリソース内のアグリゲートされたリソースに可変数のポートをアサインできる。
【００７８】
少数のポートがより大きいアグリゲートされたリソースにアサインされる場合、高いポート密度が達成されるが、これは、それぞれのポートが多数のリソースエレメントにおいて表されるからである。これは、大きいサブキャリア間隔の場合に有用である。それゆえに、この設定による使用ケースに依存して（リソースブロックごとの１ポート当たりのリソースエレメント数として規定される）ポート密度Ｄを制御することが可能である。
【００７９】
図１７におけるそれぞれのボックスにいくつかの例が示されている。例えば、最下行の左から３番目のボックスにおいて、４ポート、８ポート、および１６ポートのアサインが示されている。これらのアグリゲーションのそれぞれにおいて、１６のＲＥがあるため、３つの場合におけるポート密度Ｄは、それぞれ、４、２、および１のＲＥ／ポート／ＰＲＢである。全ての場合において、ポート数がＲＥ数より少ない時、ポート密度は１ＲＥ／ポート／ＰＲＢを上回る。これは、より小さいサブキャリア間隔が使用された場合と比較して、周波数領域におけるチャネルの同様に間隔をあけたサンプルを維持するようにするより大きいサブキャリア間隔にとって、利益がある。
【００８０】
図１８は、図１７に示されるリソース割り当てのいくつかに対する例示のポート番号マッピングを示す。１つの実施形態では、ポート番号は最初周波数にわたって（ＣＳＩ−ＲＳユニット）、その後時間にわたって（ＯＦＤＭシンボル）マッピングされる。見られるように、所与のポート番号が、ＲＥ／ポート／ＰＲＢに関するポート密度の規定と一致するリソース内にＤ回現れる。
【００８１】
フレキシブルなリソースサブサンプリング
「フレキシブルなリソースアグリゲーション」および「フレキシブルなポートアサイン」という題目の先の２つのサブセクションにおいて、１ＲＥ／ポート／ＰＲＢ以上のフレキシブルで制御可能な密度Ｄを達成するための方法について説明されている。このサブセクションにおいて、ある特定の実施形態の第２の態様について説明することで、１ＲＥ／ポート／ＰＲＢ未満の密度を生じさせることが可能なフレキシブルな密度低減について説明する（Ｄ＜１）。これは、いくつかの目的には有用である。１つは、ビーム管理目的のためであり、この場合、多くは、ビーム掃引を使用して、今後の制御およびデータ送信をビーム形成する際に使用するためのＵＥの「方向」を発見する。このタイプの応用では、周波数次元において比較的希薄なＣＳＩ−ＲＳ密度を有することが有用である。その理由には、（２８ＧＨｚといった高いキャリア周波数において）アナログビーム形成が使用されることが多いため、ビームが広帯域であり、ＣＳＩ−ＲＳアンテナポートに使用される対応するＲＥがこの帯域幅（低周波数のサンプリング速度）にわたって広がる可能性があることがある。
【００８２】
希薄なＣＳＩ−ＲＳ密度についての別の応用は、チャネルが周波数次元において比較的ゆっくり変化することで、周波数の頻繁なサンプリングが必要でないシナリオにおけるものである。より希薄なパターンは、より高いデータ送信ピーク速度をもたらす可能性があるが、これは、より多くのリソースが、データシンボルをＣＳＩ−ＲＳシンボルによって多重化するのに利用可能であるからである。
【００８３】
Ｄ＜１に対してもフレキシブルで制御可能な密度低減は、本発明のある特定の実施形態において、アグリゲートされたＣＳＩ−ＲＳリソースをサブサンプリング係数ＳＦ＝１、２、３、４、…によってサブサンプリングすることによって達成され、この場合、ＳＦ＝１はサブサンプリングがないことを意味し、ＳＦ＞１はＣＳＩ−ＲＳシンボルが周波数領域における最大限でもＳＦサブキャリアごとに位置することを意味する。サブサンプリングによって、櫛歯の間隔がＳＦに等しい周波数の「コム」構造がもたらされる。
【００８４】
図１９は、ＳＦ＝２を使用する１６のＲＥリソースに対する例示のコムを示す（ＳＦ＝２にとって可能な２つの異なるコムオフセットが示される）。１６個のポートがこのアグリゲートされたリソースにアサインされる場合、ＳＦ＝２の使用によって、必要に応じて１ＲＥ／ポート／ＰＲＢ未満のＤ＝１／２の密度がもたらされる。
【００８５】
このようなコム構造が使用される時、コムのオフセットを導入するためのＳＦ−１の可能性がある。図１９において、１つがオフセットなしで１つがオフセット値Ｏ＝１である２つの可能なコムパターンが示される。コムオフセットの使用は、密度低減のための別の動機として、直交コムを２つの異なるユーザに割り当てるために利益がある可能性がある。
【００８６】
図１９において、値ｍが、特定の帯域幅にわたる場合のＰＲＢインデックスであることは留意されたい。これは、システム帯域幅全体、またはこの一部分、例えば、所与のユーザに割り当てられる部分的な帯域であってよい。この例では、ＣＳＩ−ＲＳユニットは、ＳＦ＝２によるサブサンプリングが使用されるため、２つの異なるＰＲＢにわたる。一般的に、ＣＳＩ−ＲＳユニットがわたるＰＲＢ数はＳＦに等しい。
【００８７】
サブサンプリング係数ＳＦ＝４が６のＣＳＩ−ＲＳユニット全てを使用するパターン（ビットマップ＝１１１１１１）上で使用され、かつ２つのポートがアサインされる、リソースサブサンプリングのなお別の例が図２０に示される。この図における「縞模様」の間におけるサンプルがゼロであることで、このパターンは、インターリーブ周波数分割多元接続（ＩＦＤＮＡ）と称される。このタイプのパターンはビーム管理というコンテキストにおいて行われるビーム掃引動作にとって有用である。ここで、異なるｅＮＢ送信（Ｔｘ）ビームがそれぞれのＯＦＤＭシンボルにおいて使用可能である。さらにまた、それぞれのＯＦＤＭシンボル内で、ＵＥはそのＲｘビームを（ＳＦに等しい）４回掃引できるが、これは、ＩＦＤＭＡパターンがそれぞれのＯＦＤＭシンボル内で周期＝４の定期的な時間領域波形を作り出すからである。
【００８８】
サブサンプリングは、代替的には、ＲＥに基づくのではなくＰＲＢに基づいて行われてよい。例えば、サブサンプリング係数ＳＦ＝２が使用される場合、ＣＳＩ−ＲＳシンボルは１ＰＲＢおきに位置し、Ｄ＝１／２のＣＳＩ−ＲＳ密度が達成される。加えて、（ＰＲＢ数における）コムオフセットは、ＲＥレベルのコムに対するのと同様のやり方で使用可能である。しかしながら、コムオフセットは、ＲＥ数ではなくＰＲＢ数（１、…、ＳＦ−１）で測定されることが考えられる。
【００８９】
上記の技法を使用することによって、広範なキャリア周波数（１〜１００ＧＨｚ）の実装形態の選定（デジタルまたはアナログビーム形成）をサポートできるＮＲに対するＣＳＩ−ＲＳリソースの非常にフレキシブルかつスケーラブルな規定が可能になる。例えば、本明細書に開示される技法の実施形態は、以下の態様の１つまたは複数によるＣＳＩ−ＲＳリソースの規定を可能にする。
１．周波数領域においてアグリゲートされたリソースユニット（１つのＯＦＤＭシンボル）
ａ．ユニット１、２、３、４、５、および６の特定の組合せを指示する長さ６のビットマップによって説明される
２．時間領域におけるアグリゲートされたリソースユニット
ａ．アグリゲートするＯＦＤＭシンボルインデックス
３．アグリゲートされたリソースにアサインされたポート数
４．サブサンプル係数ＳＦ＝１、２、３、４、…およびコムオフセット＝０、１、…、ＳＦ−１
５．ＣＳＩ−ＲＳリソースが割り当てられる周波数帯域（部分的な帯域、全体の帯域）
６．ＯＣＣ設定（使用される場合）
【００９０】
説明した実施形態は、任意の適した通信標準をサポートし、かつ任意の適したコンポーネントを使用する任意の適切なタイプの通信システムにおいて実装されてよい。１つの例として、ある特定の実施形態は、図１に示されるようなＬＴＥネットワークにおいて実装されてよい。
【００９１】
図１を参照すると、通信ネットワーク１００は、複数の無線通信デバイス１０５（例えば、従来のＵＥ、マシン型通信［ＭＴＣ］／マシンツーマシン［Ｍ２Ｍ］ＵＥ）、および複数の無線アクセスノード１１０（例えば、ｅＮｏｄｅＢまたは他の基地局）を含む。通信ネットワーク１００は、対応する無線アクセスノード１１０を介してコアネットワーク１２０に接続されるセル１１５に組織化される。無線アクセスノード１１０は、無線通信デバイス間、または無線通信デバイスと別の通信デバイス（固定電話など）との間の通信をサポートするのに適した任意の追加のエレメントと共に無線通信デバイス１０５と通信することが可能である。
【００９２】
無線通信デバイス１０５はハードウェアおよび／またはソフトウェアの任意の適した組合せを含む通信デバイスを表すが、これらの無線通信デバイスは、ある特定の実施形態では、図２によってより詳細に示される例示の無線通信デバイスなどのデバイスを表してよい。同様に、示される無線アクセスノードは、ハードウェアおよび／またはソフトウェアの任意の適した組合せを含むネットワークノードを表すことができるが、これらのノードは、特定の実施形態では、図３によってより詳細に示される例示の無線アクセスノードなどのデバイスを表してよい。
【００９３】
図２を参照すると、無線通信デバイス２００は、プロセッサ２０５、メモリ、トランシーバ２１５、およびアンテナ２２０を含む。ある特定の実施形態では、ＵＥ、ＭＴＣもしくはＭ２Ｍデバイス、および／または任意の他のタイプの無線通信デバイスによって提供されるとして説明される機能性の一部または全ては、図２に示されるメモリなどのコンピュータ可読媒体上に記憶される命令を実行するデバイスプロセッサによって提供されてよい。代替的な実施形態は、本明細書に、特に図２４に説明される機能性のいずれかを含む、デバイスの機能性のある特定の態様を提供することを担う場合がある、図２に示されるもの以外の追加のコンポーネントを含んでよい。デバイス２０５が、１つまたは複数のマイクロプロセッサ、マイクロコントローラ、およびデジタル信号プロセッサなどを含んでよく、これらの１つまたは複数の処理エレメントが、メモリ２１０に記憶されるプログラムコードを実行するように、トランシーバ２１５を制御するように、および本明細書に説明される機能性の全てまたは一部を実行するように設定されており、いくつかの実施形態では、例えば、図２４に示されるプロセスステップを含む、本明細書に説明される機能性の全てまたは一部を遂行する、ハードコードされたデジタルロジックを含んでよいことは、諒解されるであろう。「処理回路」という用語は、本明細書では、処理エレメントのこれらの組合せの任意の１つに言及するために使用される。
【００９４】
図３を参照すると、無線アクセスノード３００は、ノードプロセッサ３０５、メモリ３１０、ネットワークインターフェース３１５、トランシーバ３２０、およびアンテナ３２５を含む。さらにまた、ノードプロセッサ３０５が、１つまたは複数のマイクロプロセッサ、マイクロコントローラ、およびデジタル信号プロセッサなどを含んでよく、これらの１つまたは複数の処理エレメントが、メモリ３１０に記憶されるプログラムコードを実行するように、トランシーバ３２０およびネットワーク３１５を制御するように、および本明細書に説明される機能性の全てまたは一部を実行するように設定されており、いくつかの実施形態では、本明細書に説明される機能性の全てまたは一部を遂行する、ハードコードされたデジタルロジックを含んでよいことは、諒解されるであろう。機能性は、例えば、図４、図５、および図２２のフローチャートに示される動作を含む。「処理回路」という用語は、本明細書では、処理エレメントのこれらの組合せの任意の１つに言及するために使用される。
【００９５】
よって、ある特定の実施形態では、基地局、ノードＢ、ｅｎｏｄｅＢ、および／または任意の他のタイプのネットワークノードによって提供されると説明される機能性の一部または全ては、図３に示されるメモリ３１０などのコンピュータ可読媒体上に記憶される命令を実行するノードプロセッサ３０５によって提供されてよい。さらにまた、この機能性は、例えば、図４、図５、および図２２のフローチャートに示される動作を含む。無線アクセスノード３００の代替的な実施形態は、本明細書に説明される機能性、および／または関連のサポート機能性などの追加の機能性を提供するための追加のコンポーネントを含んでよい。
【００９６】
図４は、ネットワークノード（例えば、無線アクセスノード１１０）を動作させる例示の方法４００を示すフローチャートである。方法４００は、参照信号リソースが周波数領域および時間領域の１つまたは複数においてアグリゲートされるステップ４０５を含む。方法は、１つまたは複数の無線デバイス（１０５）に送信されるアグリゲートされた参照信号リソースの密度特性が調節されるステップ４１０をさらに含む。方法は、調節された密度特性を有するアグリゲートされた参照信号リソースを使用して、参照信号が１つまたは複数の無線デバイス（１０５）のそれぞれに送信されるステップ４１５をさらに含む。方法は、いくつかの実施形態では、１つまたは複数の無線デバイス（１０５）に対する、密度特性を有するアグリゲートされた参照信号リソースの指示をシグナリングすることをまたさらに含んでよい。
【００９７】
図５は別のフローチャートを示し、このフローチャートは、本明細書に説明される技法の１つまたは複数に従って、無線通信ネットワークにおける無線デバイスによる測定のための参照信号を送信するために使用される可変密度の参照信号リソースを選択的に設定する、無線通信ネットワークのネットワークノード（１１０）における例示の方法５００を示す。
【００９８】
ブロック５１０に見られるように、示される方法は、複数のリソースアグリゲーションの中からリソースアグリゲーションを選択することを含む。この場合、複数の異なっているリソースアグリゲーションのそれぞれは、異なる番号のリソースユニットを有し、かつ１つまたは複数のリソースブロックのそれぞれごとに、それぞれの送信スロット内のリソースユニットを伝達する第１の番号ｉのＯＦＤＭシンボル、および第１の番号のＯＦＤＭシンボルのそれぞれごとの第２の番号ｊのリソースユニットを含む。それぞれのリソースブロックは、周波数領域における所定数のサブキャリアを含み、かつ時間領域における送信スロットにわたる。
【００９９】
ブロック５２０に見られるように、方法は、それぞれのリソースブロック内のリソースユニットが割り当てられる、第３の番号ｐのポートを選択することをさらに含む。上述されるように、ブロック５１０および５２０に示されるステップを行うことで、リソースブロックごとの参照信号ポート密度Ｄを有する参照信号リソース設定はそれによって、設定される。
【０１００】
ブロック５４０に見られるように、方法は、ｐ個のポートのそれぞれに対して、複数のリソースブロックにおけるそれぞれのポートに割り当てられるリソースユニットを使用して、少なくとも１つの送信スロットにおいて無線デバイスに参照信号を送信することをさらに含む。いくつかの実施形態では、方法は、ブロック５３０に示されるように、無線デバイスに参照信号リソース設定の指示をシグナリングすることをさらに含んでよい。
【０１０１】
いくつかの実施形態では、上記のそれぞれに言及されるリソースユニットは、２つの隣接するＯＦＤＭリソースエレメントから成る。いくつかの実施形態では、それぞれの送信スロット内の第１の番号ｉのＯＦＤＭシンボルは連続している。
【０１０２】
いくつかの実施形態では、ｐ個のポートのそれぞれに対して参照信号を送信することは、参照信号を送信する前に所定の信号シーケンスに直交カバーコードを適用することを含む。いくつかの実施形態では、方法は、複数のサブサンプリング係数からサブサンプリング係数ＳＦを選択することであって、それぞれのサブサンプリング係数は周波数領域における参照信号シンボルの異なる最小間隔に対応することで、Ｄ’＝Ｄ／ＳＦである、リソースブロックごとの低減した参照信号ポート密度Ｄ’を有する低減密度の参照信号設定を規定する、選択することをさらに含む。これらの実施形態では、少なくとも１つの送信スロットにおいて無線デバイスに参照信号を送信することは、低減密度の参照信号設定に従って参照信号を送信することを含む。
【０１０３】
図２２は、ネットワークノードを動作させる別の方法２２００を示すフローチャートである。方法２２００は、参照信号リソースに使用される１つまたは複数のユニットまたはコンポーネントの組合せが取得されるステップＳ２２０５を含む。この組合せは、例えば、参照信号リソースの所望の密度特性、参照信号リソースが使用される１つまたは複数の無線デバイスに対して設定されるポート数を含む、１つまたは複数の基準および／または所定の規則に基づいて取得されてよい。上記で論じられるように、この取得することは、参照信号リソースを形成するために、２つ以上の物理リソースブロックにわたって１つまたは複数のコンポーネントをアグリゲートすることを含んでよい。このアグリゲートすることは、参照信号を伝達するために使用されるＰＲＢの中のＰＲＢごとに１ポート当たり１つまたはいくつかのＲＥがあるように行われてよい。方法は、参照信号リソースに使用される１つまたは複数の物理リソースブロックにおける１つまたは複数のコンポーネントの組合せが１つまたは複数の無線デバイス（１０５）に指示されるステップＳ２２１０をさらに含む。
【０１０４】
概して図２２に示される方法のいくつかの実施形態において、それぞれの物理リソースブロックは複数のサブキャリアにわたり、１つまたは複数のコンポーネントの組合せを指示することは、１つまたは複数のサブキャリアインデックスを指示することを含む。いくつかの実施形態では、１つまたは複数のサブキャリアインデックスは、１つまたは複数のビットマップを使用して１つまたは複数の無線デバイスに指示される。これらの実施形態のいくつかにおいて、ビットマップにおけるそれぞれのビットは、ビットマップにおけるセットビットが、セットビットに対応するサブキャリアインデックスに位置するコンポーネントが参照信号リソースに使用される１つまたは複数のコンポーネントの組合せの一部であることを指示するように、サブキャリアインデックスに一意に対応する。いくつかの実施形態では、１つまたは複数のビットマップのそれぞれにおけるビット数は、コンポーネントにおけるサブキャリア数に依存する。いくつかの実施形態では、１つまたは複数のビットマップのそれぞれにおけるビット数は、例えば、ＰＲＢにおけるサブキャリア数の半分であってよい。
【０１０５】
いくつかの実施形態では、コンポーネントのそれぞれは２つ以上のサブキャリアに対応し、それぞれのコンポーネントの２つ以上のサブキャリアは周波数で隣接している。これらの実施形態のいくつかでは、それぞれのコンポーネントはまた、２つ以上の隣接シンボルに対応してよい。
【０１０６】
上記の方法における参照信号リソースは、いくつかの実施形態では、ＣＳＩ−ＲＳリソースであってよい。このＣＳＩ−ＲＳリソースは、例えば、ＣＳＩ測定を行うために１つまたは複数の無線デバイスによって使用されてよい。いくつかの実施形態では、参照信号リソースを使用して、１つまたは複数の無線デバイスに対するリンク適応、および１つまたは複数の無線デバイスに対するビーム管理のうちの少なくとも１つを行う。このビーム管理は、ネットワークノードによって送信される送信ビーム、および／または無線デバイスによって受信される受信ビームの選択といったビーム選択を含んでよい。
【０１０７】
図２３は、無線ネットワーク（例えば、図１に示される無線ネットワーク）における装置２３００の概略ブロック図を示す。装置はネットワークノード（例えば、図１に示されるネットワークノード１１０）において実装されてよい。装置２３００は、例えば、図２２を参照して説明される例示の方法、および場合により、本明細書に開示される任意の他のプロセスまたは方法を遂行するように動作可能である。図２２の方法が必ずしも装置２３００のみによって遂行されるわけではないことも理解されたい。方法の少なくともいくつかの動作は１つまたは複数の他のエンティティによって行われ得る。
【０１０８】
仮想装置２３００は、１つまたは複数のマイクロプロセッサまたはマイクロコントローラを含んでよい処理回路構成、およびデジタル信号プロセッサ（ＤＳＰ）および専用デジタルロジックなどを含んでよい他のデジタルハードウェアを含むことができる。処理回路構成は、読み出し専用メモリ（ＲＯＭ）、ランダムアクセスメモリ、キャッシュメモリ、フラッシュメモリデバイス、光記憶デバイスなどの１つまたはいくつかのタイプのメモリを含んでよいメモリに記憶されるプログラムコードを実行するように設定されてよい。メモリに記憶されるプログラムコードは、いくつかの実施形態では、１つまたは複数の電気通信プロトコルおよび／またはデータ通信プロトコルを実行するためのプログラム命令、および、本明細書に説明される技法の１つまたは複数を遂行するための命令を含む。いくつかの実装形態では、処理回路構成を使用して、取得ユニット２３０５および指示ユニット２３１０、ならびに本開示の１つまたは複数の実施形態による対応する機能を行うための装置２３００の任意の他の適したユニットの機能性を行うことができる。
【０１０９】
図２３に示されるように、装置２３００は、取得ユニット２３０５および指示ユニット２３１０を含む。取得ユニット２３０５は、参照信号リソースに使用される１つまたは複数のユニットまたはコンポーネントの組合せを取得するように設定され、指示ユニット２３１０は、参照信号リソースに使用される１つまたは複数の物理リソースブロックにおける１つまたは複数のコンポーネントの組合せを１つまたは複数の無線デバイス（１０５）に指示するように設定される。
【０１１０】
図２４は、無線デバイスを動作させる方法２４００を示すフローチャートである。方法２４００は、スロットの１つまたは複数の物理リソースブロックに含有される１つまたは複数のコンポーネントの組合せの指示がネットワークノードから受信されるステップＳ２４０５を含む。方法は、１つまたは複数のコンポーネントの指示された組合せが参照信号リソースに使用されるステップＳ２４１０をさらに含む。
【０１１１】
いくつかの実施形態では、指示された組合せは、スロットの１つまたは複数の物理リソースブロックの物理リソースブロックごとに、１ポート当たり１つのＲＥから成る。いくつかの実施形態では、それぞれの物理リソースブロックは、複数のサブキャリアにわたり、１つまたは複数のコンポーネントの組合せの指示は、１つまたは複数のサブキャリアインデックスの指示を含む。これらの後者の実施形態のいくつかにおいて、１つまたは複数のサブキャリアインデックスの指示は、１つまたは複数のビットマップを含んでよい。１つまたは複数のビットマップのそれぞれにおけるビット数は、コンポーネントにおけるサブキャリア数に依存してよい。いくつかの実施形態では、ビットマップにおけるそれぞれのビットは、ビットマップにおけるセットビットが、セットビットに対応するサブキャリアインデックスに位置するコンポーネントが参照信号リソースに使用される１つまたは複数のコンポーネントの組合せの一部であることを指示するように、サブキャリアインデックスに一意に対応する。これらの実施形態のいくつかでは、１つまたは複数のビットマップのそれぞれにおけるビット数は、物理リソースブロックにおけるサブキャリア数の半分である。
【０１１２】
いくつかの実施形態では、コンポーネントのそれぞれは、２つ以上のサブキャリアに対応し、それぞれのコンポーネントの２つ以上のサブキャリアは周波数で隣接している。これらの実施形態のいくつかでは、それぞれのコンポーネントはまた、２つ以上の隣接シンボルに対応してよい。
【０１１３】
上記方法における参照信号リソースは、いくつかの実施形態では、ＣＳＩ−ＲＳリソースであってよい。このＣＳＩ−ＲＳリソースは、例えば、ＣＳＩ測定を行うために１つまたは複数の無線デバイスによって使用されてよい。いくつかの実施形態では、参照信号リソースを使用して、１つまたは複数の無線デバイスに対するリンク適応、および１つまたは複数の無線デバイスに対するビーム管理のうちの少なくとも１つを行う。このビーム管理は、ネットワークノードによって送信される送信ビーム、および／または無線デバイスによって受信される受信ビームの選択といったビーム選択を含んでよい。
【０１１４】
図２５は、無線ネットワーク（例えば、図１に示される無線ネットワーク）における装置２５００の概略ブロック図を示す。装置は無線デバイス（例えば、図１および図２に示される無線デバイス１０５）において実装されてよい。装置２３００は、例えば、図４、図５、および図２４を参照して説明される例示の方法、および場合により、本明細書に開示される任意の他のプロセスまたは方法を遂行するように動作可能である。図２４の方法が必ずしも装置２５００のみによって遂行されるわけではないことも理解されたい。方法の少なくともいくつかの動作は１つまたは複数の他のエンティティによって行われ得る。
【０１１５】
仮想装置２５００は、１つまたは複数のマイクロプロセッサまたはマイクロコントローラを含んでよい処理回路構成、およびデジタル信号プロセッサ（ＤＳＰ）および専用デジタルロジックなどを含んでよい他のデジタルハードウェアを含むことができる。処理回路構成は、読み出し専用メモリ（ＲＯＭ）、ランダムアクセスメモリ、キャッシュメモリ、フラッシュメモリデバイス、光記憶デバイスなどの１つまたはいくつかのタイプのメモリを含んでよいメモリに記憶されるプログラムコードを実行するように設定されてよい。メモリに記憶されるプログラムコードは、いくつかの実施形態では、１つまたは複数の電気通信プロトコルおよび／またはデータ通信プロトコルを実行するためのプログラム命令、および、本明細書に説明される技法の１つまたは複数を遂行するための命令を含む。いくつかの実装形態では、処理回路構成を使用して、受信ユニット２５０５および使用ユニット２５１０、ならびに本開示の１つまたは複数の実施形態による対応する機能を行うための装置２５００の任意の他の適したユニットの機能性を行うことができる。
【０１１６】
図２５に示されるように、装置２５００は受信ユニット２５０５および使用ユニット２５１０を含む。受信ユニット２５０５は、スロットの１つまたは複数の物理リソースブロックに含有される１つまたは複数のコンポーネントの組合せの指示をネットワークノードから受信するように設定される。使用ユニット２５１０は、参照信号リソースに対する１つまたは複数のコンポーネントの指示された組合せを使用するように設定される。
【０１１７】
ユニットという用語は、電子機器、電気デバイス、および／または電子デバイスの分野における従来の意味を有することができ、例えば、本明細書に説明されるものといった、電気および／または電子回路構成、デバイス、モジュール、プロセッサ、メモリ、ロジックソリッドステートおよび／またはディスクリートデバイス、ならびに、各タスク、手順、計算、出力を遂行する、および／または機能を表示するためのコンピュータプログラムまたは命令などを含むことができる。
【０１１８】
仮想化環境における動作
図２６は、いくつかの実施形態によって実装される機能が仮想化可能である仮想化環境２６００を示す概略ブロック図である。本コンテキストでは、仮想化は、ハードウェアプラットフォーム、記憶デバイス、およびネットワーキングリソースを仮想化することを含むことができる装置またはデバイスの仮想バージョンを作り出すことを意味する。本明細書で使用されるように、仮想化は、ノード（例えば、仮想化基地局または仮想化無線アクセスノード）に、またはデバイス（例えば、ＵＥ、無線デバイス、または任意の他のタイプの通信デバイス）もしくはこのコンポーネントに適用可能であり、機能性の少なくとも一部分が（例えば、１つまたは複数のネットワークにおいて１つまたは複数の物理処理ノード上で実行する、１つまたは複数のアプリケーション、コンポーネント、機能、仮想マシン、またはコンテナーによって）１つまたは複数の仮想コンポーネントとして実装される実装形態に関する。
【０１１９】
いくつかの実施形態では、本明細書に説明される機能のいくつかまたは全ては、ハードウェアノード２６３０の１つまたは複数によってホストされる１つまたは複数の仮想環境２６００において実装される１つまたは複数の仮想マシンによって実行される仮想コンポーネントとして実装されてよい。さらに、仮想ノードが無線アクセスノードではない、または無線接続性（例えば、コアネットワークノード）を必要としない実施形態において、ネットワークノードは全体が仮想化されてよい。
【０１２０】
機能は、本明細書に開示される実施形態のいくつかの特徴、機能、および／または利益のいくつかを実装するように動作可能である１つまたは複数のアプリケーション２６２０（代替的には、ソフトウェアインスタンス、仮想アプライアンス、ネットワーク機能、仮想ノード、仮想ネットワーク機能などと呼ばれる場合がある）によって実装されてよい。アプリケーション２６２０は、処理回路構成２６６０およびメモリ２６９０を含むハードウェア２６３０を提供する仮想化環境２６００において起動する。メモリ２６９０は、アプリケーション２６２０が、本明細書に開示される特徴、利益、および／または機能の１つまたは複数を提供するように動作可能である処理回路構成２６６０によって実行可能である命令２６９５を含有する。
【０１２１】
仮想化環境２６００は、市販の既製（ＣＯＴＳ）プロセッサ、専用の特定用途向け集積回路（ＡＳＩＣ）、またはデジタルもしくはアナログハードウェアコンポーネントまたは専用プロセッサを含む任意の他のタイプの処理回路構成であってよい、１つまたは複数のプロセッサまたは処理回路構成２６６０のセットを含む、汎用または専用ネットワークハードウェアデバイス２６３０を含む。それぞれのハードウェアデバイスは、処理回路構成２６６０によって実行される命令２６９５またはソフトウェアを一時的に記憶するための非永続的メモリであってよいメモリ２６９０−１を含むことができる。それぞれのハードウェアデバイスは、物理ネットワークインターフェース２６８０を含む、ネットワークインターフェースカードとしても既知である、１つまたは複数のネットワークインターフェースコントローラ（ＮＩＣ）２６７０を含んでよい。それぞれのハードウェアデバイスは、処理回路構成２６６０によって実行可能なソフトウェア２６９５および／または命令が記憶されている、非一時的、永続的、マシン可読記憶媒体２６９０−２も含んでよい。ソフトウェア２６９５は、（ハイパーバイザーとも称される）１つまたは複数の仮想化層２６５０をインスタンス化するためのソフトウェア、仮想マシン２６４０を実行するためのソフトウェア、および、本明細書に説明されるいくつかの実施形態と関連して説明される機能、特徴、および／または利益を実行することを可能にするソフトウェアを含む任意のタイプのソフトウェアを含んでよい。
【０１２２】
仮想マシン２６４０は、仮想処理、仮想メモリ、仮想ネットワーキングまたはインターフェース、および仮想記憶装置を含み、対応する仮想化層２６５０またはハイパーバイザーによって起動させてよい。仮想アプライアンス２６２０のインスタンスの異なる実施形態は、仮想マシン２６４０の１つまたは複数上で実装されてよく、この実装形態は異なるやり方でなされてよい。
【０１２３】
動作中、処理回路構成２６６０は、仮想マシンモニタ（ＶＭＭ）と称される時がある場合がある、ハイパーバイザーまたは仮想化層２６５０をインスタンス化するためのソフトウェア２６９５を実行する。仮想化層２６５０は、仮想マシン２６４０にはネットワーキングハードウェアのように現れる仮想オペレーティングプラットフォームを提示することができる。
【０１２４】
図２６に示されるように、ハードウェア２６３０は、汎用コンポーネントまたは固有コンポーネントを有するスタンドアローンのネットワークノードであってよい。ハードウェア２６３０はアンテナ２６２２５を含んでよく、仮想化によりいくつかの機能を実装してよい。代替的には、ハードウェア２６３０は、（例えば、データセンタまたは加入者宅内機器（ＣＰＥ）などにおける）ハードウェアの大規模なクラスタの一部であってよく、この場合、多くのハードウェアノードは共に働き、かつ、とりわけ、アプリケーション２６２０のライフサイクル管理を監視する、管理およびオーケストレーション（ＭＡＮＯ）２６１００によって管理されてよい。
【０１２５】
ハードウェアの仮想化は、いくつかのコンテキストにおいて、ネットワーク機能仮想化（ＮＦＶ）と称される。ＮＦＶを使用して、多くのネットワーク機器タイプを、データセンタ、および加入者宅内機器に位置することができる、業界標準の高容量サーバハードウェア、物理スイッチ、および物理記憶装置上に統合してよい。
【０１２６】
ＮＦＶのコンテキストにおいて、仮想マシン２６４０は、物理的な非仮想化マシン上で実行しているかのようにプログラムを起動する物理マシンのソフトウェア実装形態であってよい。仮想マシン２６４０のそれぞれ、および、その仮想マシン専用のハードウェア、および／またはその仮想マシンによって仮想マシン２６４０のその他と共有されるハードウェアとされる、その仮想マシンを実行するハードウェア２６３０のその一部は、別個の仮想ネットワークエレメント（ＶＮＥ）を形成する。
【０１２７】
さらにＮＦＶのコンテキストにおいて、仮想ネットワーク機能（ＶＮＦ）は１つまたは複数の仮想マシン２６４０に加えて、ハードウェアネットワーキングインフラストラクチャ２６３０において起動する固有ネットワーク機能をハンドリングすることを担い、かつ図２６におけるアプリケーション２６２０に対応する。
【０１２８】
いくつかの実施形態では、それぞれが１つまたは複数の送信機２６２２０および１つまたは複数の受信機２６２１０を含む１つまたは複数の無線ユニット２６２００は、１つまたは複数のアンテナ２６２２５に結合されてよい。無線ユニット２６２００は、１つまたは複数の適切なネットワークインターフェースを介してハードウェアノード２６３０と直接通信してよく、無線アクセスノードまたは基地局といった、無線能力を有する仮想ノードを提供するための仮想コンポーネントと組み合わせて使用されてよい。
【０１２９】
いくつかの実施形態では、代替的には、ハードウェアノード２６３０と無線ユニット２６２００との間の通信に使用されてよい制御システム２６２３０の使用によって、いくつかのシグナリングをきたすことができる。
【０１３０】
リモートホストコンピュータによる動作
図２７を参照すると、一実施形態に従って、通信システムは、無線アクセスネットワークおよびコアネットワーク２７１４などのアクセスネットワーク２７１１を含む、３ＧＰＰタイプのセルラーネットワークといった電気通信ネットワーク２７１０を含む。アクセスネットワーク２７１１は、ＮＢ、ｅＮＢ、ｇＮＢ、または他のタイプの無線アクセスポイントといった複数の基地局２７１２ａ、２７１２ｂ、２７１２ｃを含み、これらのそれぞれは対応するカバレッジエリア２７１３ａ、２７１３ｂ、２７１３ｃを規定する。それぞれの基地局２７１２ａ、２７１２ｂ、２７１２ｃは、有線または無線接続２７１５上でコアネットワーク２７１４に接続可能である。カバレッジエリア２７１３ｃに位置する第１のＵＥ２７９１は、対応する基地局２７１２ｃに無線で接続するように、または基地局２７１２ｃによってページングされるように設定される。カバレッジエリア２７１３ａにおける第２のＵＥ２７９２は、対応する基地局２７１２ａに無線で接続可能である。複数のＵＥ２７９１、２７９２がこの例に示されるが、開示される実施形態は、単独のＵＥがカバレッジエリアにある、または単独のＵＥが対応する基地局２７１２に接続している状況に等しく適用可能である。
【０１３１】
電気通信ネットワーク２７１０は、これ自体、ホストコンピュータ２７３０に接続され、このホストコンピュータ２７３０は、スタンドアローンのサーバ、クラウド実装のサーバ、分散型サーバのハードウェアおよび／またはソフトウェアにおいて、またはサーバファームにおける処理リソースとして具現化可能である。ホストコンピュータ２７３０は、サービスプロバイダの所有権または制御下にあってよい、またはサービスプロバイダによってまたはサービスプロバイダの代わりに動作させてよい。電気通信ネットワーク２７１０とホストコンピュータ２７３０との間の接続２７２１および２７２２は、コアネットワーク２７１４からホストコンピュータ２７３０に直接拡張されてよい、またはオプションの中間ネットワーク２７２０を介して行われてよい。中間ネットワーク２７２０は、パブリック、プライベート、またはホストネットワークのうちの１つ、または複数の組合せであってよく、中間ネットワーク２７２０は、ある場合、バックボーンネットワークまたはインターネットであってよく、特に、中間ネットワーク２７２０は、２つ以上のサブネットワーク（図示せず）を含んでよい。
【０１３２】
図２７の通信システムは、全体として、接続済みＵＥ２７９１、２７９２とホストコンピュータ２７３０との間の接続性を可能にする。この接続性は、オーバーザトップ（ＯＴＴ）接続２７５０として説明可能である。ホストコンピュータ２７３０および接続済みＵＥ２７９１、２７９２は、アクセスネットワーク２７１１、コアネットワーク２７１４、任意の中間ネットワーク２７２０、および仲介としての可能なさらなるインフラストラクチャ（図示せず）を使用して、ＯＴＴ接続２７５０を介してデータおよび／またはシグナリングを通信するように設定される。ＯＴＴ接続２７５０は、ＯＴＴ接続２７５０が通る、関与している通信デバイスがアップリンクおよびダウンリンク通信のルーティングに気付いていないという意味で透過的であってよい。例えば、基地局２７１２は、接続済みＵＥ２７９１に転送される（例えば、渡される）、ホストコンピュータ２７３０に由来するデータとの入りダウンリンク通信の過去のルーティングについて通知されなくてもよい、または通知される必要はない。同様に、基地局２７１２は、ホストコンピュータ２７３０へのＵＥ２７９１に由来する出アップリンク通信の今後のルーティングに気付く必要はない。
【０１３３】
先の段落において論じた、ＵＥ、基地局、およびホストコンピュータの一実施形態による例示の実装形態について、ここで図２８を参照して説明する。通信システム２８００において、ホストコンピュータ２８１０は、通信システム２８００の異なる通信デバイスのインターフェースとの有線または無線接続をセットアップしかつ維持するように設定される通信インターフェース２８１６を含むハードウェア２８１５を含む。ホストコンピュータ２８１０は、記憶能力および／または処理能力を有することができる処理回路構成２８１８をさらに含む。特に、処理回路構成２８１８は、１つまたは複数のプログラマブルプロセッサ、特定用途向け集積回路、フィールドプログラマブルゲートアレイ、または命令を実行するように適応される（示されない）これらの組合せを含んでよい。ホストコンピュータ２８１０は、ホストコンピュータ２８１０に記憶されるまたはこれによってアクセス可能であり、かつ処理回路構成２８１８によって実行可能であるソフトウェア２８１１をさらに含む。ソフトウェア２８１１はホストアプリケーション２８１２を含む。ホストアプリケーション２８１２は、ＵＥ２８３０およびホストコンピュータ２８１０において終止するＯＴＴ接続２８５０を介して接続するＵＥ２８３０といったリモートユーザにサービスを提供するように動作可能であってよい。サービスをリモートユーザに提供する際に、ホストアプリケーション２８１２は、ＯＴＴ接続２８５０を使用して送信されるユーザデータを提供してもよい。
【０１３４】
通信システム２８００は、電気通信システムにおいて提供され、かつホストコンピュータ２８１０およびＵＥ２８３０との通信を可能にするハードウェア２８２５を含む基地局２８２０をさらに含む。ハードウェア２８２５は、通信システム２８００の異なる通信デバイスのインターフェースとの有線または無線接続をセットアップしかつ維持する通信インターフェース２８２６、および基地局２８２０によってサーブされる（図２８に示されない）カバレッジエリアに位置するＵＥ２８３０との少なくとも無線接続２８７０をセットアップしかつ維持するための無線インターフェース２８２７を含んでよい。通信インターフェース２８２６は、ホストコンピュータ２８１０への接続２８６０を容易にするように設定されてよい。接続２８６０は、直接行われてよい、または電気通信システムの（図２８に示されない）コアネットワークを、および／または電気通信システムの外部の１つまたは複数の中間ネットワークを通してよい。示される実施形態において、基地局２８２０のハードウェア２８２５は処理回路構成２８２８をさらに含む。この処理回路構成２８２８は、１つまたは複数のプログラマブルプロセッサ、特定用途向け集積回路、フィールドプログラマブルゲートアレイ、または命令を実行するように適応される（示されない）これらの組合せを含んでよい。基地局２８２０は、内部に記憶される、または外部接続を介してアクセス可能であるソフトウェア２８２１をさらに有する。
【０１３５】
通信システム２８００は既に言及したＵＥ２８３０をさらに含む。このハードウェア２８３５は、ＵＥ２８３０が現在位置するカバレッジエリアをサーブする基地局との無線接続２８７０をセットアップしかつ維持するように設定される無線インターフェース２８３７を含んでよい。ＵＥ２８３０のハードウェア２８３５は、１つまたは複数のプログラマブルプロセッサ、特定用途向け集積回路、フィールドプログラマブルゲートアレイ、または命令を実行するように適応される（示されない）これらの組合せを含んでよい処理回路構成２８３８をさらに含む。ＵＥ２８３０は、ＵＥ２８３０に記憶されるまたはこれによってアクセス可能であり、かつ処理回路構成２８３８によって実行可能であるソフトウェア２８３１をさらに含む。ソフトウェア２８３１はクライアントアプリケーション２８３２を含む。クライアントアプリケーション２８３２は、ホストコンピュータ２８１０のサポートによって、ＵＥ２８３０を介して人間または人間ではないユーザにサービスを提供するように動作可能であってよい。ホストコンピュータ２８１０において、実行しているホストアプリケーション２８１２は、ＵＥ２８３０およびホストコンピュータ２８１０において終止するＯＴＴ接続２８５０を介して実行しているクライアントアプリケーション２８３２と通信してよい。サービスをユーザに提供する際に、クライアントアプリケーション２８３２は、ホストアプリケーション２８１２からの要求データを受信し、かつ要求データに応答してユーザデータを提供してよい。ＯＴＴ通信２８５０は要求データおよびユーザデータ両方を伝えてよい。クライアントアプリケーション２８３２は、提供するユーザデータを生成するためにユーザと対話してよい。
【０１３６】
図２８に示されるホストコンピュータ２８１０、基地局２８２０、およびＵＥ２８３０は、それぞれ、図２７の、ホストコンピュータ２７３０、基地局２７１２ａ、２７１２ｂ、２７１２ｃのうちの１つ、およびＵＥ２７９１、２７９２のうちの１つと同様または同一であってよいことに留意されたい。すなわち、これらのエンティティの内部の働きは、図２８において独立的に示され得るものであり、周囲のネットワークトポロジは図２７のものであってよい。
【０１３７】
図２８において、ＯＴＴ接続２８５０は、いずれの中間デバイスも、かつこれらのデバイスを介したメッセージの正確なルーティングを明示的に参照することなく、基地局２８２０を介したホストコンピュータ２８１０とＵＥ２８３０との間の通信を示すために抽象的に描かれている。ネットワークインフラストラクチャは、ルーティングを判断してよく、これは、ＵＥ２８３０、もしくはホストコンピュータ２８１０を動作させるサービスプロバイダ、またはその両方から隠れるように設定されてよい。ＯＴＴ接続２８５０がアクティブである間に、ネットワークインフラストラクチャは、（例えば、負荷バランシングの考慮事項またはネットワークの再設定に基づいて）ルーティングを動的に変更することによる決定をさらに行ってよい。
【０１３８】
ＵＥ２８３０と基地局２８２０との間の無線接続２８７０は、本開示全体を通して説明される実施形態の教示によるものである。さまざまな実施形態の１つまたは複数によって、無線接続２８７０が最終セグメントを形成するＯＴＴ接続２８５０を使用してＵＥ２８３０に提供されるＯＴＴサービスの性能が改善される。より正確には、これらの実施形態の教示によって、とりわけ、データ速度が改善可能であり、それによって、ファイルサイズ／解像度に対する制限の緩和、および良好な応答といった利益が提供される。
【０１３９】
測定手順は、データ速度、レイテンシ、および１つまたは複数の実施形態が改善する他の因子をモニタリングする目的で提供されてよい。さらに、測定結果における変動に応答して、ホストコンピュータ２８１０とＵＥ２８３０との間のＯＴＴ接続２８５０を再設定するためのオプションのネットワーク機能性があってよい。ＯＴＴ接続２８５０を再設定するための、測定手順および／またはネットワーク機能性は、ホストコンピュータ２８１０のソフトウェア２８１１およびハードウェア２８１５において、ＵＥ２８３０のソフトウェア２８３１およびハードウェア２８３５において、またはこの両方において実装されてよい。実施形態において、センサ（図示せず）は、ＯＴＴ接続２８５０が通る通信デバイスにおいてまたはこれと関連して展開されてよく、センサは、上に例示されるモニタリングされた数量の値を供給することによって、またはソフトウェア２８１１、２８３１がモニタリングされた数量を計算するまたは推定することができる他の物理量の値を供給することによって、測定手順に関与してよい。ＯＴＴ接続２８５０を再設定することは、メッセージフォーマット、再送信セット、好適なルーティングなどを含んでよく、再設定は基地局２８２０に影響を与える必要なく、基地局２８２０には未知であるまたは認識できなくてよい。このような手順および機能性は当技術分野において既知でありかつ実践可能である。ある特定の実施形態において、測定は、スループット、伝搬時間、およびレイテンシなどのホストコンピュータ２８１０の測定を容易にする専用のＵＥシグナリングを伴う場合がある。ＯＴＴ接続２８５０を使用して、ソフトウェア２８１１および２８３１によって、メッセージ、特に空のまたは「ダミーの」メッセージが送信される間に伝搬時間、誤差などをモニタリングするように測定が実施されてよい。
【０１４０】
図２９は、１つの実施形態に従って、通信システムにおいて実装される方法を示すフローチャートである。通信システムは、図２７および図２８を参照して説明されるものであってよい、ホストコンピュータ、基地局、およびＵＥを含む。本開示を簡略化するために、図２９に対する図面参照のみがこのセクションに含まれることになる。ステップ２９１０において、ホストコンピュータはユーザデータを提供する。ステップ２９１０の（オプションであってよい）サブステップ２９１１において、ホストコンピュータは、ホストアプリケーションを実行することによってユーザデータを提供する。ステップ２９２０において、ホストコンピュータはユーザデータをＵＥに伝達する送信を開始する。（オプションであってよい）ステップ２９３０では、基地局は、本開示全体を通して説明される実施形態の教示に従って、ホストコンピュータが開始した送信において伝達されたユーザデータをＵＥに送信する。ステップ２９４０（これもオプションであってよい）では、ＵＥは、ホストコンピュータによって実行されるホストアプリケーションと関連付けられたクライアントアプリケーションを実行する。
【０１４１】
図３０は、１つの実施形態に従って、通信システムにおいて実装される方法を示すフローチャートである。通信システムは、図２７および図２８を参照して説明されるものであってよい、ホストコンピュータ、基地局、およびＵＥを含む。本開示を簡略化するために、図３０に対する図面参照のみがこのセクションに含まれることになる。方法のステップ３０１０において、ホストコンピュータはユーザデータを提供する。（示されない）オプションのサブステップにおいて、ホストコンピュータは、ホストアプリケーションを実行することによってユーザデータを提供する。ステップ３０２０において、ホストコンピュータはユーザデータをＵＥに伝達する送信を開始する。本開示全体を通して説明される実施形態の教示に従って、送信は基地局を介して行われてよい。（オプションであってよい）ステップ３０３０では、ＵＥは送信において伝達されるユーザデータを受信する。
【０１４２】
上述されるように、例示の実施形態は、方法、および方法のステップを行うための機能性を提供するさまざまなモジュールから成る対応する装置の両方を提供する。モジュールは、（特定用途向け集積回路といった集積回路を含む１つまたは複数のチップにおいて具現化される）ハードウェアとして実装されてよい、または、プロセッサによる実行のためのソフトウェアまたはファームウェアとして実装されてよい。特に、ファームウェアまたはソフトウェアの場合、例示の実施形態は、コンピュータプロセッサによる実行のためにコンピュータプログラムコード（すなわち、ソフトウェアまたはファームウェア）が具現化されているコンピュータ可読記憶媒体を含むコンピュータプログラム製品として提供可能である。コンピュータ記憶可読媒体は、非一時的（例えば、磁気ディスク、光ディスク、読み出し専用メモリ、フラッシュメモリデバイス、位相変化メモリ）または一時的（例えば、搬送波、赤外線信号、デジタル信号などの電気、光、音響、または他の形態の伝搬される信号）であってよい。プロセッサおよび他のコンポーネントの結合は、典型的には、１つまたは複数のバスまたはブリッジ（バスコントローラともいう）を通すものである。記憶デバイス、およびデジタルトラフィックを伝達する信号はそれぞれ、１つまたは複数の非一時的または一時的なコンピュータ可読記憶媒体を表す。よって、所与の電子デバイスの記憶デバイスは、典型的には、コントローラなどのその電子デバイスの１つまたは複数のプロセッサのセット上での実行のためのコードおよび／またはデータを記憶する。
【０１４３】
実施形態およびこの利点が詳細に説明されているが、添付の特許請求の範囲によって規定されるこれらの趣旨および範囲から逸脱することなく、さまざまな変更、代入、および代替が行われ得ることは、理解されるべきである。例えば、上に論じられる特徴および機能の多くは、ソフトウェア、ハードウェア、ファームウェア、またはこれらの組合せで実装可能である。また、特徴、機能、および上記を動作させるステップの多くは、再順序付け、省略、追加などが行われてよく、さらにはさまざまな実施形態の広範な範囲内にある。
【０１４４】
例示の実施形態
限定されることはないが、本明細書に開示される技法および装置のいくつかの例示の実施形態が以下に提供される。
【０１４５】
１．無線通信ネットワーク（１００）のネットワークノード（１１０）において、無線通信ネットワーク（１００）において参照信号リソースを設定する方法（４００）であって、
参照信号リソースに使用される１つまたは複数のコンポーネントであって、スロットの１つまたは複数の物理リソースブロックに含有される、１つまたは複数のコンポーネントの組合せを取得すること（Ｓ２２０５）と、
参照信号リソースに使用される１つまたは複数の物理リソースブロックにおける１つまたは複数のコンポーネントの組合せを１つまたは複数の無線デバイス（１０５）に指示すること（Ｓ２２１０）と、を含む、方法。
【０１４６】
２．物理リソースブロックは複数のサブキャリアにわたり、１つまたは複数のコンポーネントの組合せを指示することは１つまたは複数のサブキャリアインデックスを指示することを含む、例示の実施形態１の方法。
【０１４７】
３．１つまたは複数のサブキャリアインデックスは、１つまたは複数のビットマップを使用して１つまたは複数の無線デバイスに指示される、例示の実施形態２の方法。
【０１４８】
４．ビットマップにおけるそれぞれのビットは、ビットマップにおけるセットビットが、セットビットに対応するサブキャリアインデックスに位置するコンポーネントが参照信号リソースに使用される１つまたは複数のコンポーネントの組合せの一部であることを指示するように、サブキャリアインデックスに一意に対応する、例示の実施形態３の方法。
【０１４９】
５．１つまたは複数のビットマップのそれぞれにおけるビット数は、コンポーネントにおけるサブキャリア数に依存する、例示の実施形態３の方法。
【０１５０】
６．１つまたは複数のビットマップのそれぞれにおけるビット数は、物理リソースブロックにおけるサブキャリア数の半分である、例示の実施形態５の方法。
【０１５１】
７．１つまたは複数のビットマップのそれぞれにおけるビット数は、物理リソースブロックにおけるサブキャリア数以下である、例示の実施形態５の方法。
【０１５２】
８．参照信号リソースはＣＳＩ−ＲＳリソースである、例示の実施形態１〜７のいずれかの例示の実施形態の方法。
【０１５３】
９．コンポーネントのそれぞれは２つ以上のサブキャリアに対応する、例示の実施形態１〜８のいずれかの方法。
【０１５４】
１０．２つ以上のサブキャリアは周波数で隣接している、例示の実施形態９の方法。
【０１５５】
１１．それぞれのコンポーネントは２つ以上の隣接シンボルに対応している、例示の実施形態９の方法。
【０１５６】
１２．参照信号リソースはＣＳＩ−ＲＳリソースである、例示の実施形態１〜１１のいずれかの方法。
【０１５７】
１３．ＣＳＩ−ＲＳリソースは、１つまたは複数の無線デバイス（１０５）によるＣＳＩ測定を行うために使用される、請求項１２の方法。
【０１５８】
１４．参照信号リソースを使用して、１つまたは複数の無線デバイス（１０５）に対するリンク適応、および１つまたは複数の無線デバイス（１０５）に対するビーム管理のうちの少なくとも１つを行う、例示の実施形態１〜１３のいずれかの方法。
【０１５９】
１５．ビーム管理はビーム選択を含む、例示の実施形態１４の方法。
【０１６０】
１６．ビーム選択は、ネットワークノード（１１０）によって送信される送信ビーム、および／または無線デバイス（１０５）によって受信される受信ビームの選択を含む、例示の実施形態１５の方法。
【０１６１】
１７．無線通信ネットワーク（１００）の無線デバイス（１０５）において、無線通信ネットワーク（１００）において参照信号リソースの指示を取得する方法（４００）であって、
スロットの１つまたは複数の物理リソースブロックに含有される１つまたは複数のコンポーネントの組合せの指示をネットワークノード（１１０）から受信すること（Ｓ２４０５）と、
参照信号リソースに対して１つまたは複数のコンポーネントの指示された組合せを使用すること（Ｓ２４１０）と、を含む、方法。
【０１６２】
１８．物理リソースブロックは複数のサブキャリアにわたり、１つまたは複数のコンポーネントの組合せの指示は１つまたは複数のサブキャリアインデックスの指示を含む、例示の実施形態１７の方法。
【０１６３】
１９．１つまたは複数のサブキャリアインデックスの指示は、１つまたは複数のビットマップを含む、例示の実施形態１８の方法。
【０１６４】
２０．ビットマップにおけるそれぞれのビットは、ビットマップにおけるセットビットが、セットビットに対応するサブキャリアインデックスに位置するコンポーネントが参照信号リソースに使用される１つまたは複数のコンポーネントの組合せの一部であることを指示するように、サブキャリアインデックスに一意に対応する、例示の実施形態１９の方法。
【０１６５】
２１．１つまたは複数のビットマップのそれぞれにおけるビット数は、コンポーネントにおけるサブキャリア数に依存する、例示の実施形態１９の方法。
【０１６６】
２２．１つまたは複数のビットマップのそれぞれにおけるビット数は、物理リソースブロックにおけるサブキャリア数の半分である、例示の実施形態２１の方法。
【０１６７】
２３．１つまたは複数のビットマップのそれぞれにおけるビット数は、物理リソースブロックにおけるサブキャリア数以下である、例示の実施形態２１の方法。
【０１６８】
２４．参照信号リソースはＣＳＩ−ＲＳリソースである、例示の実施形態１７〜２３のいずれかの例示の実施形態の方法。
【０１６９】
２５．コンポーネントのそれぞれは２つ以上のサブキャリアに対応する、例示の実施形態１７〜２４のいずれかの方法。
【０１７０】
２６．２つ以上のサブキャリアは周波数で隣接している、例示の実施形態２５の方法。
【０１７１】
２７．それぞれのコンポーネントは２つ以上の隣接シンボルに対応している、例示の実施形態２５の方法。
【０１７２】
２８．参照信号リソースはＣＳＩ−ＲＳリソースである、例示の実施形態１７〜２５のいずれかの方法。
【０１７３】
２９．ＣＳＩ−ＲＳリソースは、１つまたは複数の無線デバイス（１０５）によるＣＳＩ測定を行うために使用される、請求項２８の方法。
【０１７４】
３０．参照信号リソースを使用して、１つまたは複数の無線デバイス（１０５）に対するリンク適応、および１つまたは複数の無線デバイス（１０５）に対するビーム管理のうちの少なくとも１つを行う、例示の実施形態１７〜２９のいずれかの方法。
【０１７５】
３１．ビーム管理はビーム選択を含む、例示の実施形態３０の方法。
【０１７６】
３２．ビーム選択は、ネットワークノード（１１０）によって送信される送信ビーム、および／または無線デバイス（１０５）によって受信される受信ビームの選択を含む、例示の実施形態３１の方法。
【０１７７】
３３．無線通信ネットワーク（１００）において参照信号リソースの指示を取得することによって無線通信ネットワーク（１００）における通信を容易にするための無線デバイス（１０５、２００）であって、例示の実施形態１７〜３２のいずれかのステップを行うように設定される処理回路構成を含む、無線デバイス。
【０１７８】
３４．無線通信ネットワーク（１００）において参照信号リソースを設定するためのネットワークノード（１１０、３００）であって、例示の実施形態１〜１６のいずれかのステップを行うように設定される処理回路構成を含む、ネットワークノード。
【０１７９】
３５．無線通信ネットワーク（１００）において参照信号リソースの指示を取得することによって無線通信ネットワーク（１００）における通信を容易にするためのユーザ機器（ＵＥ）（２００）であって、
無線信号を送るおよび受信するように設定されるアンテナ（２２０）と、
アンテナおよび処理回路構成（２０５）に接続され、かつアンテナと処理回路構成との間で通信される信号を調整するように設定されるトランシーバ（２１５）と、
例示の実施形態１７〜３２のいずれかのステップを行うように設定される処理回路構成と、を含む、ユーザ機器（ＵＥ）。
【０１８０】
３６．ホストコンピュータ（２８１０）を含む通信システム（２８００）であって、
ユーザデータを提供するように設定される処理回路構成（２８１８）と、
無線デバイス（２８３０）への送信のためにユーザデータをセルラーネットワークに転送するように設定される通信インターフェース（２８１６）と、を含み、
セルラーネットワークは、
ユーザデータを受信する設定される通信インターフェース（２８２６）、
ユーザデータを無線デバイス（２８３０）に転送するために無線デバイス２８３０とインターフェースするように設定される無線インターフェース（２８２７）、および
例示の実施形態１〜１６のいずれかのステップを行うように設定される処理回路構成（２８２８）を有するネットワークノード（２８２０）を含む、通信システム。
【０１８１】
３７．ネットワークノードをさらに含む、先の例示の実施形態のいずれかの通信システム。
【０１８２】
３８．無線デバイスをさらに含み、無線デバイスはネットワークノードと通信するように設定される、先の２つの例示の実施形態のいずれかの通信システム。
【０１８３】
３９．ホストコンピュータの処理回路構成は、ホストアプリケーションを実行することによってユーザデータを提供するように設定され、
無線デバイスは、ホストアプリケーションと関連付けられたクライアントアプリケーションを実行するように設定される処理回路構成を含む、先の３つの例示の実施形態のいずれかの通信システム。
【０１８４】
４０．ホストコンピュータ、ネットワークノード、および無線デバイスを含む通信システムにおいて実装される方法であって、
ホストコンピュータにおいて、ユーザデータを提供することと、
ホストコンピュータにおいて、ネットワークノードを含むセルラーネットワークを介して無線デバイスにユーザデータを伝達する送信を開始することであって、ネットワークノードは例示の実施形態１〜１６のいずれかのステップを行う、開始することと、を含む、方法。
【０１８５】
４１．ネットワークノードにおいて、ユーザデータを送信することをさらに含む、先の例示の実施形態の方法。
【０１８６】
４２．ユーザデータは、ホストアプリケーションを実行することによってホストコンピュータにおいて提供され、方法は、無線デバイスにおいて、ホストアプリケーションと関連付けられるクライアントアプリケーションを実行することをさらに含む、先の２つの例示の実施形態のいずれかの方法。
【０１８７】
４３．ホストコンピュータ（２８１０）および無線デバイス（２８３０）を含む通信システム（２８００）であって、
ユーザデータを提供するように設定される処理回路構成と、
無線デバイス（２８３０）への送信のためにユーザデータをセルラーネットワークに転送するように設定される通信インターフェースと、を含み、
無線デバイス（２８３０）は、トランシーバおよび処理回路構成を含み、無線デバイスのコンポーネントは、例示の実施形態１７〜３２のいずれかのステップを行うように設定される、通信システム。
【０１８８】
４４．セルラーネットワークは、無線デバイスと通信するように設定されるネットワークノード（２８２０）をさらに含む、先の例示の実施形態の通信システム。
【０１８９】
４５．ホストコンピュータの処理回路構成は、ホストアプリケーションを実行することによってユーザデータを提供するように設定され、
無線デバイスの処理回路構成は、ホストアプリケーションと関連付けられたクライアントアプリケーションを実行するように設定される、先の２つの例示の実施形態のいずれかの通信システム。
【０１９０】
４６．ホストコンピュータ（２８１０）、ネットワークノード（２８２０）、および無線デバイス（２８３０）を含む通信システム（２８００）において実装される方法であって、
ホストコンピュータにおいて、ユーザデータを提供することと、
ホストコンピュータにおいて、ネットワークノードを含むセルラーネットワークを介して無線デバイスにユーザデータを伝達する送信を開始することであって、無線デバイスは例示の実施形態１７〜３２のいずれかのステップを行う、開始することと、を含む、方法。
【０１９１】
４７．無線デバイスにおいて、ネットワークノードからユーザデータを受信することをさらに含む、先の例示の実施形態の方法。
【０１９２】
略語のリスト
ＴＲＰ  送信／受信ポイント
ＵＥ  ユーザ機器
ＮＷ  ネットワーク
ＢＰＬ  ビームペアリンク
ＢＬＦ  ビームペアリンク障害
ＢＬＭ  ビームペアリンクモニタリング
ＢＰＳ  ビームペアリンクスイッチ
ＲＬＭ  無線リンクモニタリング
ＲＬＦ  無線リンク障害
ＰＤＣＣＨ  物理ダウンリンク制御チャネル
ＲＲＣ  無線リソース制御
ＣＲＳ  セル固有参照信号
ＣＳＩ−ＲＳ  チャネル状態情報参照信号
ＲＳＲＰ  参照信号受信電力
ＲＳＲＱ  参照信号受信品質
ｇＮＢ  ＮＲ基地局
ＰＲＢ  物理リソースブロック
ＲＥ  リソースエレメント
【図１】
2020099047.tif 000011
【図２】
2020099047.tif 000012
【図３】
2020099047.tif 000013
【図４】
2020099047.tif 000014
【図５】
2020099047.tif 000015
【図６】
2020099047.tif 000016
【図７】
2020099047.tif 000017
【図８】
2020099047.tif 000018
【図９】
2020099047.tif 000019
【図１０】
2020099047.tif 000020
【図１１】
2020099047.tif 000021
【図１２】
2020099047.tif 000022
【図１３】
2020099047.tif 000023
【図１４】
2020099047.tif 000024
【図１５】
2020099047.tif 000025
【図１６】
2020099047.tif 000026
【図１７】
2020099047.tif 000027
【図１８】
2020099047.tif 000028
【図１９】
2020099047.tif 000029
【図２０】
2020099047.tif 000030
【図２１】
2020099047.tif 000031
【図２２】
2020099047.tif 000032
【図２３】
2020099047.tif 000033
【図２４】
2020099047.tif 000034
【図２５】
2020099047.tif 000035
【図２６】
2020099047.tif 000036
【図２７】
2020099047.tif 000037
【図２８】
2020099047.tif 000038
【図２９】
2020099047.tif 000039
【図３０】
2020099047.tif 000040
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
無線通信ネットワーク（１００）のネットワークノード（１１０）において、前記無線通信ネットワーク（１００）において参照信号リソースを設定する方法（４００）であって、
参照信号リソースに使用される１つまたは複数のコンポーネントであって、スロットの１つまたは複数の物理リソースブロックに含有される、１つまたは複数のコンポーネントの組合せを取得すること（Ｓ２２０５）と、
前記参照信号リソースに使用される前記１つまたは複数の物理リソースブロックにおける前記１つまたは複数のコンポーネントの組合せを１つまたは複数の無線デバイス（１０５）に指示すること（Ｓ２２１０）と、
を含み、
前記指示がビットマップを含み、前記ビットマップの各ビットは、サブキャリアインデックスに一意に対応し、且つ、対応する前記サブキャリアインデックスに位置するコンポーネントが、前記参照信号リソースに使用される前記１つまたは複数のコンポーネントの組合せの一部であるかどうかを指示する、方法。
【請求項２】
参照信号リソースに使用される１つまたは複数のコンポーネントの前記組合せを取得すること（Ｓ２２０５）は、前記参照信号リソースを形成するために２つ以上の物理リソースブロックにわたって前記１つまたは複数のコンポーネントをアグリゲートすることを含む、請求項１に記載の方法。
【請求項３】
参照信号リソースに使用される１つまたは複数のコンポーネントの前記組合せを取得すること（Ｓ２２０５）は、前記参照信号リソースを形成するために前記スロットの前記１つまたは複数の物理リソースブロックの物理リソースブロックごとに１ポート当たり１つのリソースエレメント（ＲＥ）をアグリゲートすることを含む、請求項１に記載の方法。
【請求項４】
前記ビットマップにおけるビット数は、コンポーネントにおけるサブキャリア数に依存する、請求項１に記載の方法。
【請求項５】
前記ビットマップにおけるビット数は、前記物理リソースブロックにおけるサブキャリア数の半分である、請求項１に記載の方法。
【請求項６】
前記参照信号リソースはＣＳＩ−ＲＳリソースである、請求項１に記載の方法。
【請求項７】
前記コンポーネントのそれぞれは２つ以上のサブキャリアに対応し、それぞれのコンポーネントの前記２つ以上のサブキャリアは周波数で隣接している、請求項１に記載の方法。
【請求項８】
それぞれのコンポーネントは２つ以上の隣接シンボルに対応している、請求項７に記載の方法。
【請求項９】
前記参照信号リソースを使用して、前記１つまたは複数の無線デバイス（１０５）に対するリンク適応、および前記１つまたは複数の無線デバイス（１０５）に対するビーム管理のうちの少なくとも１つを行う、請求項１に記載の方法。
【請求項１０】
無線デバイス（１０５）において、参照信号リソースの指示を取得する方法（４００）であって、
スロットの１つまたは複数の物理リソースブロックに含有される１つまたは複数のコンポーネントの組合せの指示をネットワークノード（１１０）から受信すること（Ｓ２４０５）と、
参照信号リソースに対して前記１つまたは複数のコンポーネントの前記指示された組合せを使用すること（Ｓ２４１０）と、を含み、
前記指示がビットマップを含み、前記ビットマップの各ビットは、サブキャリアインデックスに一意に対応し、且つ、対応する前記サブキャリアインデックスに位置するコンポーネントが、前記参照信号リソースに使用される前記１つまたは複数のコンポーネントの組合せの一部であるかどうかを指示する、方法。
【請求項１１】
前記指示された組合せは、前記スロットの前記１つまたは複数の物理リソースブロックの物理リソースブロックごとに、１ポート当たり１つのリソースエレメント（ＲＥ）から成る、請求項１０に記載の方法。
【請求項１２】
前記１つまたは複数のビットマップのそれぞれにおけるビット数は、コンポーネントにおけるサブキャリア数に依存する、請求項１０に記載の方法。
【請求項１３】
前記ビットマップにおけるビット数は、前記物理リソースブロックにおけるサブキャリア数の半分である、請求項１０に記載の方法。
【請求項１４】
前記コンポーネントのそれぞれは２つ以上のサブキャリアに対応し、それぞれのコンポーネントの前記２つ以上のサブキャリアは周波数で隣接している、請求項１０に記載の方法。
【請求項１５】
それぞれのコンポーネントは２つ以上の隣接シンボルに対応している、請求項１４に記載の方法。
【請求項１６】
前記参照信号リソースはＣＳＩ−ＲＳリソースである、請求項１０に記載の方法。
【請求項１７】
前記参照信号リソースを使用して、前記無線デバイス（１０５）に対するリンク適応、および前記無線デバイス（１０５）に対するビーム管理のうちの少なくとも１つを行う、請求項１６に記載の方法。
【請求項１８】
無線通信ネットワーク（１００）において参照信号リソースの指示を取得することによって前記無線通信ネットワーク（１００）における通信を容易にするためのユーザ機器（ＵＥ）（２００）であって、
無線信号を送るおよび受信するように設定されるアンテナ（２２０）と、
前記アンテナおよび処理回路構成（２０５）に接続され、かつ前記アンテナと前記処理回路構成との間で通信される信号を調整するように設定されるトランシーバ（２１５）と、
スロットの１つまたは複数の物理リソースブロックに含有される１つまたは複数のコンポーネントの組合せの指示をネットワークノード（１１０）から受信すること（Ｓ２４０５）と、
参照信号リソースに対して前記１つまたは複数のコンポーネントの前記指示された組合せを使用すること（Ｓ２４１０）と、を行うように設定される前記処理回路構成と、を含み、
前記指示がビットマップを含み、前記ビットマップの各ビットは、サブキャリアインデックスに一意に対応し、且つ、対応する前記サブキャリアインデックスに位置するコンポーネントが、前記参照信号リソースに使用される前記１つまたは複数のコンポーネントの組合せの一部であるかどうかを指示する、
ユーザ機器（ＵＥ）。
【請求項１９】
前記１つまたは複数のビットマップのそれぞれにおけるビット数は、コンポーネントにおけるサブキャリア数に依存する、請求項１８に記載のＵＥ。
【請求項２０】
前記ビットマップにおけるビット数は、前記物理リソースブロックにおけるサブキャリア数の半分である、請求項１８に記載のＵＥ。
【請求項２１】
前記参照信号リソースはＣＳＩ−ＲＳリソースである、請求項１８に記載のＵＥ。
【請求項２２】
前記参照信号リソースを使用して、前記無線デバイス（１０５）に対するリンク適応、および前記無線デバイス（１０５）に対するビーム管理のうちの少なくとも１つを行う、請求項２１に記載のＵＥ。
【外国語明細書】
2020099047000001.pdf